(57)【要約】【課題】ユーザ端末のユーザビリティを向上させる。【解決手段】ユーザ端末に提供しうるコンテンツのアドレスを示すアドレス情報と緯度・経度及び寸法を有する空間占有情報とを対応付けたバブルデータを保持するデータベース１５と、ユーザ端末が向いている方位とユーザ端末の位置とを有する位置情報を受信する受信部１６と、受信した位置情報に基づいて、ユーザ端末の位置からユーザ端末の方位に基づいて特定される方向へ延伸させたベクトルと交差する関係にある空間占有情報を有するバブルデータをデータベースから検索する空間検索部４０と、空間検索部によって検索されたバブルデータが有する空間占有情報に基づいて、所望空間を占有する仮想的な物体であってコンテンツへのアクセスの要求操作を受け付ける仮想的な物体を、ユーザ端末の画面に表示させる検索結果通知部４１とを備える。【選択図】図２
2011129143.tif 000002
【特許請求の範囲】
【請求項１】
方位を測定しうる方位検出手段と位置を測定しうる位置検出手段とを有するユーザ端末から利用可能な情報提供システムであって、
前記ユーザ端末に提供しうるコンテンツのアドレスを示すアドレス情報と、緯度・経度及び寸法を有する空間占有情報と、を対応付けたバブルデータを保持するデータベースと、
該ユーザ端末の方位検出手段により検出された該ユーザ端末が向いている方位と、該ユーザ端末の位置検出手段により検出された該ユーザ端末の位置と、を有する位置情報を受信する受信部と、
該受信した位置情報に基づいて、該ユーザ端末の位置から該ユーザ端末の方位に基づいて特定される方向へ延伸させたベクトルである検索用ベクトルと交差する関係にある前記空間占有情報を有する前記バブルデータを前記データベースから検索する空間検索部と、
該空間検索部によって検索された前記バブルデータが有する前記空間占有情報に基づいて、所望空間を占有する仮想的な物体であって前記コンテンツへのアクセスの要求操作を受け付ける前記仮想的な物体を、該ユーザ端末の画面に表示させる検索結果通知部と、
を備えることを特徴とする、情報提供システム。
【請求項２】
情報処理装置であって、
自端末の方位を検出する方位検出手段と、
自端末の位置を検出する位置検出手段と、
前記方位検出手段により検出された方位と、前記位置検出手段により検出された位置と、を有する位置情報を送信する送信手段と、
前記位置情報を送信したことに応じて、前記ユーザ端末に提供しうるコンテンツのアドレスを示すアドレス情報と緯度・経度及び寸法を有する空間占有情報とを対応付けたバブルデータを保持するデータベースを有する情報提供システムから、前記送信した位置情報が有する位置から前記送信した位置情報が有する方位に基づいて特定される方向へ延伸させたベクトルである検索用ベクトルと交差する関係にある前記空間占有情報を有する前記バブルデータを受信する受信手段と、
前記受信したバブルデータが有する前記空間占有情報に基づいて、所望空間を占有する仮想的な物体であって前記コンテンツへのアクセスの要求操作を受け付ける前記仮想的な物体を画面に表示する表示手段と、
を備えることを特徴とする、情報処理装置。
【請求項３】
情報処理装置において実行されるプログラムであって、
自端末の方位を検出する方位検出手段と、
自端末の位置を検出する位置検出手段と、
前記方位検出手段により検出された方位と、前記位置検出手段により検出された位置と、を有する位置情報を送信する送信手段と、
前記位置情報を送信したことに応じて、前記ユーザ端末に提供しうるコンテンツのアドレスを示すアドレス情報と緯度・経度及び寸法を有する空間占有情報とを対応付けたバブルデータを保持するデータベースを有する情報提供システムから、前記送信した位置情報が有する位置から前記送信した位置情報が有する方位に基づいて特定される方向へ延伸させたベクトルである検索用ベクトルと交差する関係にある前記空間占有情報を有する前記バブルデータを受信する受信手段と、
前記受信したバブルデータが有する前記空間占有情報に基づいて、所望空間を占有する仮想的な物体であって前記コンテンツへのアクセスの要求操作を受け付ける前記仮想的な物体を画面に表示する表示手段、
として情報処理装置を動作させることを特徴とする、プログラム。
【発明の詳細な説明】
【技術分野】
【０００１】
本発明は、情報提供システム，情報処理装置およびプログラムに関する。
【背景技術】
【０００２】
一般に、電子データを保存するに当たっては、ユーザ（企業，個人）は、キーボード，マウスなどの処理装置を用いている。ユーザは、自分の意図を表すために、別のハードウェアに変換し、そして、処理装置に指示し、処理する内容に合わせて、データを検索したり保存している。
また、近年、携帯端末の普及により、モバイル環境が整備され、人間の位置を測定できる小型のＧＰＳ（Global Positioning System）モジュールが普及し、多様なサービスが提供されている。その一部は、ユーザが位置する場所を測定して知らせる道案内サービスとして利用されている。
【発明の開示】
【発明が解決しようとする課題】
【０００３】
しかしながら、ユーザは、データの検索・保存のときに、ユーザ自身の意図を一旦、別形式のデータに変換しなければならず、この方法によると、データはデジタル的に処理されなければならない。従って、ユーザは、自分の視界に入るものを棚にしまうといった直接的な処理ができない。すなわち、ユーザが、「北方向に進め」，「相対的に右／左」，「やや右／前方／後方」といった、いわば、アナログ的な感覚により検索できないので、人間感覚になじみやすいとはいえず、利用しにくい。
【０００４】
このため、ユーザはデータ検索・保存の際に、アナログ的な感覚により操作する方が便利であるにもかかわらず、デジタル的な処理をしなければならず、かつ、そのデジタル的な処理は、特別な知識と経験とが必要であるという課題がある。
また、携帯端末のサービスは、主に、音声サービス用のものであって、ディスプレイが小さいため、ユーザが自分のいる位置の表示には適していない。
【０００５】
さらに、音声による道案内（ナビゲート）サービスにおいては、ユーザは携帯端末に内蔵されたりまたは外づけされたＧＰＳモジュールを用いて、位置を把握できる。このため、ナビゲートサービスにおいては、システム側が、絶対的な表現として「北方向に進んで下さい」と道案内することは可能である。
その一方、ユーザが向いている方向までは把握できず、従って、システム側が、ユーザの立場を考慮した相対的な表現として、「直進して下さい」と道案内することはできない。そのため、このサービスは、東西南北が把握できない場合は、ナビゲートしにくいという課題がある。
【０００６】
また、車両のように移動速度が高速の場合は、ＧＰＳ衛星と携帯端末との間にて発生するドップラー効果により、ユーザの移動方向を把握することが可能である。ところが、移動速度が歩行のように低速であったり、ユーザが停止しているときは、ユーザまたは車両の移動方向を把握できないという課題がある。
一方、ユーザの動きを把握するために、システム運用者が高額な設備を投資することは、実際的には、きわめて困難であるという課題がある。
【０００７】
本発明は、このような課題に鑑み創案されたもので、携帯電話を用いた情報サービスの提供に当たり、ユーザの端末位置から所定距離範囲にあるビルに関する情報や、視界内において特定のビル内にある店舗のサービス情報などを取得でき、また、ユーザの移動方向を的確に把握できるようにすることを第１の目的とする。
さらに、システム運用者が、このサービス情報を提供するに当たり、ユーザインターフェースを向上させることが必要となる。ところが、多数のサービス情報の中から、ユーザが希望するサービス内容を含むものを効率的に検索し、それをユーザに対して送信することは困難であるという課題がある。
【０００８】
また、ユーザ端末にサービス情報を提供するに当たり、サービス情報をユーザ端末の地図情報とリンクした形でユーザに表示でき、地図情報を画面に情報バブルの大きさを最適表示できるようにすることを第２の目的とする。
加えて、最近、ユーザが車両を運転するときに、目的地までの道案内を正確に受けるサービスも普及してきている。このサービスを提供するためには、システム運用者は、高額な車両検出器などを設置する必要があり、また、車両の動きを追跡するためには膨大な投資が必要であり、実現が困難である。
【０００９】
さらに、システム運用者が、高額な車両検出器などを設置せず、車両の動きを追跡することができるようにすることを第３の目的とする。
【課題を解決するための手段】
【００１０】
例えば、方位を測定しうる方位検出手段と位置を測定しうる位置検出手段とを有するユーザ端末から利用可能な情報提供システムであって、前記ユーザ端末に提供しうるコンテンツのアドレスを示すアドレス情報と、緯度・経度及び寸法を有する空間占有情報と、を対応付けたバブルデータを保持するデータベースと、該ユーザ端末の方位検出手段により検出された該ユーザ端末が向いている方位と、該ユーザ端末の位置検出手段により検出された該ユーザ端末の位置と、を有する位置情報を受信する受信部と、該受信した位置情報に基づいて、該ユーザ端末の位置から該ユーザ端末の方位に基づいて特定される方向へ延伸させたベクトルである検索用ベクトルと交差する関係にある前記空間占有情報を有する前記バブルデータを前記データベースから検索する空間検索部と、該空間検索部によって検索された前記バブルデータが有する前記空間占有情報に基づいて、所望空間を占有する仮想的な物体であって前記コンテンツへのアクセスの要求操作を受け付ける前記仮想的な物体を、該ユーザ端末の画面に表示させる検索結果通知部と、を備える、情報提供システムを用いることができる。
【００１１】
また、例えば、情報処理装置であって、自端末の方位を検出する方位検出手段と、自端末の位置を検出する位置検出手段と、前記方位検出手段により検出された方位と、前記位置検出手段により検出された位置と、を有する位置情報を送信する送信手段と、前記位置情報を送信したことに応じて、前記ユーザ端末に提供しうるコンテンツのアドレスを示すアドレス情報と緯度・経度及び寸法を有する空間占有情報とを対応付けたバブルデータを保持するデータベースを有する情報提供システムから、前記送信した位置情報が有する位置から前記送信した位置情報が有する方位に基づいて特定される方向へ延伸させたベクトルである検索用ベクトルと交差する関係にある前記空間占有情報を有する前記バブルデータを受信する受信手段と、前記受信したバブルデータが有する前記空間占有情報に基づいて、所望空間を占有する仮想的な物体であって前記コンテンツへのアクセスの要求操作を受け付ける前記仮想的な物体を画面に表示する表示手段と、を備える、情報処理装置を用いることができる。
【００１２】
さらに、例えば、情報処理装置において実行されるプログラムであって、自端末の方位を検出する方位検出手段と、自端末の位置を検出する位置検出手段と、前記方位検出手段により検出された方位と、前記位置検出手段により検出された位置と、を有する位置情報を送信する送信手段と、前記位置情報を送信したことに応じて、前記ユーザ端末に提供しうるコンテンツのアドレスを示すアドレス情報と緯度・経度及び寸法を有する空間占有情報とを対応付けたバブルデータを保持するデータベースを有する情報提供システムから、前記送信した位置情報が有する位置から前記送信した位置情報が有する方位に基づいて特定される方向へ延伸させたベクトルである検索用ベクトルと交差する関係にある前記空間占有情報を有する前記バブルデータを受信する受信手段と、前記受信したバブルデータが有する前記空間占有情報に基づいて、所望空間を占有する仮想的な物体であって前記コンテンツへのアクセスの要求操作を受け付ける前記仮想的な物体を画面に表示する表示手段、として情報処理装置を動作させる、プログラムを用いることができる。
【００１３】
また、本発明に関連する技術のサーバは、地図を表示しうるユーザ端末に対して情報を提供するシステムにおいて、提供するサービス情報の属性を表す属性情報を有する情報文書のうち、複数の要素からなる索引情報を有する特定情報文書について、３次元空間における空間範囲情報とサービス情報を得るための検索情報とを対応づけられたバブルデータとして保持するデータベースと、ユーザ端末から送信された、地図に表示された対象の座標情報と対象の提供するサービス情報の属性を表す表示対象属性情報とを有するマッピング要求に基づいて、バブルデータのうち座標情報および表示対象属性情報を含む特定バブルデータを検索する検索部と、特定バブルデータに含まれる空間範囲情報，属性情報および検索情報を有するマッピング応答を、ユーザ端末に対して通知する通知部とをそなえて構成されたことを特徴としている。
【００１４】
また、本発明に関連する技術のサーバは、物体に関連する各種情報またはその各種情報に関連するサービス情報の属性を表す属性情報を有する情報ページのうち、属性情報に関し複数の要素からなる索引情報を有する特定情報ページについて、３次元空間における物体の緯度，経度，高度およびバブル径からなる空間範囲情報とサービス情報を得るためのアドレス情報とを対応づけられたバブルデータとして保持するデータベースと、ユーザ端末から送信された、地図に表示された物体の緯度，経度，高度からなる３次元空間における座標情報と地図に表示された物体に関連する各種情報またはその各種情報に関連するサービス情報の属性を表す表示対象属性情報とを有するマッピング要求に基づいて、バブルデータのうち座標情報および表示対象属性情報を含む特定バブルデータを検索する検索部と、特定バブルデータの空間範囲情報，属性情報およびアドレス情報を有するマッピング応答をユーザ端末に対して通知する通知部とをそなえて構成されたことを特徴としている。
【００１５】
さらに、前記通知部は、マッピング要求が有する座標情報に基づき、ユーザ端末が表示する地図の尺度に応じた径を有する相似バブル径を含む空間範囲情報とアドレス情報とを有するマッピング応答を通知するように構成されてもよい。
そして、前記データベースは、バブルデータを、バブルデータのサービス情報の内容について識別可能な固有番号を関連づけて保持するように構成されてもよい。
【００１６】
加えて、本発明に関連する技術のユーザ端末は、地図情報を出力する地図情報出力部と、地図情報出力部から出力された地図情報に基づいて対象の画像を表示する表示部と、表示部に表示された対象の３次元空間における座標情報と対象の提供するサービス情報の属性を表す表示対象属性情報とを有するマッピング要求を、ユーザ端末とネットワークを介して接続されたサーバに対して送信する送信部と、マッピング要求についてサーバが通知した、座標情報に対応する３次元空間における空間範囲情報と対象の提供するサービス情報の属性情報を表す属性情報とサービス情報を得るための検索情報とを有するマッピング応答を受信する受信部と、マッピング応答に含まれる空間範囲情報が示す位置に、イメージ形状を地図とともに表示部に表示するマッピング部と、マッピング部により表示されるイメージ形状とマッピング応答に含まれる検索情報とを関連づけて保持するマッピングデータ保持部とをそなえて構成されたことを特徴としている。
【００１７】
また、本発明に関連する技術のユーザ端末は、３次元空間における物体の地図情報を出力する地図情報出力部と、地図情報出力部から出力された地図情報に基づいて物体の画像を画面に表示する表示部と、表示部に表示された物体の緯度，経度，高度からなる３次元空間における座標情報と物体に関連する各種情報またはその各種情報に関連するサービス情報の属性を表す表示対象属性情報とを有するマッピング要求を、ユーザ端末とネットワークを介して接続されたサーバに対して送信する送信部と、マッピング要求についてサーバが通知した、座標情報に対応する３次元空間における物体の緯度，経度，高度およびバブル径からなる空間範囲情報とサービス情報を得るためのアドレス情報とを有するマッピング応答を受信する受信部と、マッピング応答に含まれる空間範囲情報が示す位置に、イメージ形状を物体の画像とともに表示部に表示するマッピング部と、マッピング部により表示されるイメージ形状とマッピング応答に含まれるアドレス情報とを関連づけて保持するマッピングデータ保持部とをそなえて構成されたことを特徴としている。
【００１８】
さらに、本発明に関連する技術の情報提供システムは、物体に関連する各種情報またはその各種情報に関連するサービス情報の属性を表す属性情報と複数の要素からなる文書型定義情報とを有する情報ページのうち文書型定義情報を有する特定情報ページについて、３次元空間における物体の緯度，経度，高度およびバブル径からなる空間範囲情報とサービス情報を得るためのアドレス情報とを対応づけられたバブルデータとして保持するデータベースと、データベースとネットワークを介して接続されバブルデータを用いて検索された各種情報を表示するユーザ端末と、ユーザ端末から送信された、地図に表示された物体の緯度，経度，高度からなる３次元空間における座標情報と物体に関連する各種情報またはその各種情報に関連するサービス情報の属性を表す表示対象属性情報とを有するマッピング要求に基づいて、バブルデータのうち座標情報および表示対象属性情報を含む特定バブルデータを検索する検索部と、特定バブルデータの空間範囲情報，属性情報およびアドレス情報を有するマッピング応答をユーザ端末に対して通知する通知部とをそなえ、ユーザ端末が、３次元空間における物体の地図情報を出力する地図情報出力部と、地図情報出力部から出力された地図情報に基づいて物体の画像を画面に表示する表示部と、表示部に表示された物体の３次元空間における緯度，経度，高度およびバブル径からなる座標情報と物体に関連する各種情報またはその各種情報に関連するサービス情報の属性を表す属性情報とを有するマッピング要求を、ユーザ端末とネットワークを介して接続されたサーバに対して送信する送信部と、マッピング要求についてサーバが通知した、空間範囲情報に対応する３次元空間における物体の緯度，経度，高度およびバブル径からなる空間範囲情報とサービス情報を得るためのアドレス情報とを有するマッピング応答を受信する受信部と、マッピング応答に含まれる空間範囲情報が示す位置に、イメージ形状を物体の画像とともに表示部に表示するマッピング部と、マッピング部により表示されるイメージ形状とマッピング応答に含まれるアドレス情報とを関連づけて保持するマッピングデータ保持部とをそなえて構成されたことを特徴としている。
【００１９】
そして、本発明に関連する技術の情報提供サービス方法は、ユーザ端末が、地図に表示される物体を選択する選択ステップと、ユーザ端末が、選択ステップにて選択した物体に関する座標情報と物体が提供するサービス情報の属性を表す表示対象属性情報とを、それぞれ、ユーザ端末とネットワークを介して接続されたサーバに対して送信するユーザ端末送信ステップと、サーバが、ユーザ端末送信ステップにて送信された座標情報および表示対象属性情報に基づいて、空間範囲情報，属性情報およびアドレス情報をそれぞれ、ユーザ端末に対して送信するサーバ送信ステップと、ユーザ端末が、サーバ送信ステップにて送信された空間範囲情報が示す位置に、イメージ形状を物体とともに表示部に表示するマッピングステップとをそなえて構成されたことを特徴としている。
【００２０】
加えて、本発明に関連する技術の情報提供サービス方法は、ユーザ端末が、画像を表示する表示部に地図を表示する地図表示ステップと、ユーザ端末が、地図表示ステップにて表示された地図情報から物体を選択する選択ステップと、ユーザ端末が、ユーザ端末とネットワークを介して接続されたサーバに対して、選択ステップにて選択した物体に関する３次元空間における緯度，経度，高度およびバブル径からなる座標情報と物体に関連する各種情報またはその各種情報に関連するサービス情報の属性を表す表示対象属性情報とを有するマッピング要求を送信する送信ステップと、サーバが、送信ステップのマッピング要求に基づいて、３次元空間における物体の緯度，経度，高度およびバブル径からなる空間範囲情報と物体に関連する各種情報またはその各種情報に関連するサービス情報を得るためのアドレス情報とを対応づけられたバブルデータのうち座標情報および表示対象属性情報を含む特定バブルデータを検索する検索ステップと、サーバが、検索ステップにて検索された特定バブルデータの空間範囲情報とアドレス情報とを有するマッピング応答を、ユーザ端末に対して通知する通知ステップと、ユーザ端末が、通知ステップにて通知された特定バブルデータに基づいて、マッピング応答の空間範囲情報が示す位置に、イメージ形状を物体とともに表示部に表示するマッピングステップとをそなえて構成されたことを特徴としている。
【００２１】
また、本発明に関連する技術の情報提供サービス方法は、ユーザ端末が、物体に関連する各種情報またはその各種情報に関連するサービス情報の属性を表す属性情報を有する情報ページのうち、属性情報に関し複数の要素からなる特定情報ページをデータベースに記録する情報ページ記録ステップと、サーバが、情報ページ記録ステップにて記録された情報ページに基づいて、３次元空間における物体の緯度，経度，高度およびバブル径からなる空間範囲情報とサービス情報を得るためのアドレス情報とを対応づけられたバブルデータを登録するバブルデータ登録ステップと、サーバが、バブルデータ登録ステップにて登録されたバブルデータに起因する情報をユーザ端末に対して提供する提供ステップとをそなえて構成されたことを特徴としている。
【発明の効果】
【００２２】
本発明の情報提供システム，情報処理装置およびプログラム、並びに、後記の付記に記載された技術によれば、以下に述べる効果ないしは利点が得られる。
（１）本発明の情報提供システムは、方位を測定しうる方位検出手段と位置を測定しうる位置検出手段とを有するユーザ端末から利用可能な情報提供システムであって、ユーザ端末に提供しうるコンテンツのアドレスを示すアドレス情報と、緯度・経度及び寸法を有する空間占有情報と、を対応付けたバブルデータを保持するデータベースと、ユーザ端末の方位検出手段により検出されたユーザ端末が向いている方位と、ユーザ端末の位置検出手段により検出されたユーザ端末の位置と、を有する位置情報を受信する受信部と、受信した位置情報に基づいて、ユーザ端末の位置からユーザ端末の方位に基づいて特定される方向へ延伸させたベクトルである検索用ベクトルと交差する関係にある空間占有情報を有するバブルデータをデータベースから検索する空間検索部と、該空間検索部によって検索されたバブルデータが有する空間占有情報に基づいて、所望空間を占有する仮想的な物体であってコンテンツへのアクセスの要求操作を受け付ける仮想的な物体を、ユーザ端末の画面に表示させる検索結果通知部と、を備えているので、ユーザビリティが向上する。
【００２３】
（２）本発明に関連する技術のサーバによれば、地図を表示しうるユーザ端末に対して情報を提供するシステムにおいて、提供するサービス情報の属性を表す属性情報を有する情報文書のうち、複数の要素からなる索引情報を有する特定情報文書について、３次元空間における空間範囲情報とサービス情報を得るための検索情報とを対応づけられたバブルデータとして保持するデータベースと、ユーザ端末から送信された、地図に表示された対象の座標情報と対象の提供するサービス情報の属性を表す表示対象属性情報とを有するマッピング要求に基づいて、バブルデータのうち座標情報および表示対象属性情報を含む特定バブルデータを検索する検索部と、特定バブルデータに含まれる空間範囲情報，属性情報および検索情報を有するマッピング応答を、ユーザ端末に対して通知する通知部とをそなえて構成されているので、店主や企業の情報が登録され、ユーザは、最新の情報を得ることができ、かつ、ビジュアル性に優れた状態でその情報を得ることができる。
【００２４】
（３）本発明に関連する技術のサーバによれば、物体に関連する各種情報またはその各種情報に関連するサービス情報の属性を表す属性情報を有する情報ページのうち、属性情報に関し複数の要素からなる索引情報を有する特定情報ページについて、３次元空間における物体の緯度，経度，高度およびバブル径からなる空間範囲情報とサービス情報を得るためのアドレス情報とを対応づけられたバブルデータとして保持するデータベースと、ユーザ端末から送信された、地図に表示された物体の緯度，経度，高度からなる３次元空間における座標情報と地図に表示された物体に関連する各種情報またはその各種情報に関連するサービス情報の属性を表す表示対象属性情報とを有するマッピング要求に基づいて、バブルデータのうち座標情報および表示対象属性情報を含む特定バブルデータを検索する検索部と、特定バブルデータの空間範囲情報，属性情報およびアドレス情報を有するマッピング応答をユーザ端末に対して通知する通知部とをそなえて構成されているので、企業などもこの地図アプリケーションを利用して、自社の最新の情報をユーザに対して提供することができる。
【００２５】
（４）前記通知部が、マッピング要求が有する座標情報に基づき、ユーザ端末が表示する地図の尺度に応じた径を有する相似バブル径を含む空間範囲情報とアドレス情報とを有するマッピング応答を通知するように構成されてもよく、このようにすれば、予め、保持されている位置情報／ＵＲＬリンクデータベースが、地図にマッピングされる。
（５）前記データベースが、バブルデータを、そのバブルデータのサービス情報の内容について識別可能な固有番号を関連づけて保持するように構成されてもよく、このようにすれば、空間占有情報とＵＲＬとサービス情報とを個別に確実に特定することができる。
【００２６】
（６）本発明に関連する技術のユーザ端末によれば、地図を表示しうるユーザ端末に対して情報を提供するシステムにおいて、地図情報を出力する地図情報出力部と、地図情報出力部から出力された地図情報に基づいて対象の画像を表示する表示部と、表示部に表示された対象の３次元空間における座標情報と対象の提供するサービス情報の属性を表す表示対象属性情報とを有するマッピング要求を、ユーザ端末とネットワークを介して接続されたサーバに対して送信する送信部と、マッピング要求についてサーバが通知した、座標情報に対応する３次元空間における空間範囲情報と対象の提供するサービス情報の属性情報を表す属性情報とサービス情報を得るための検索情報とを有するマッピング応答を受信する受信部と、マッピング応答に含まれる空間範囲情報が示す位置に、イメージ形状を地図とともに表示部に表示するマッピング部と、マッピング部により表示されるイメージ形状とマッピング応答に含まれる検索情報とを関連づけて保持するマッピングデータ保持部とをそなえて構成されているので、ユーザは、各種情報などを得るために、建物の大きさや配置などが再現された画像に表示される情報バブルをクリックするだけで、所望のサービス情報を得ることができる。
【００２７】
（７）本発明に関連する技術のユーザ端末によれば、３次元空間における物体の地図情報を出力する地図情報出力部と、地図情報出力部から出力された地図情報に基づいて物体の画像を画面に表示する表示部と、表示部に表示された物体の緯度，経度，高度からなる３次元空間における座標情報と物体に関連する各種情報またはその各種情報に関連するサービス情報の属性を表す表示対象属性情報とを有するマッピング要求を、ユーザ端末とネットワークを介して接続されたサーバに対して送信する送信部と、マッピング要求についてサーバが通知した、座標情報に対応する３次元空間における物体の緯度，経度，高度およびバブル径からなる空間範囲情報とサービス情報を得るためのアドレス情報とを有するマッピング応答を受信する受信部と、マッピング応答に含まれる空間範囲情報が示す位置に、イメージ形状を物体の画像とともに表示部に表示するマッピング部と、マッピング部により表示されるイメージ形状とマッピング応答に含まれるアドレス情報とを関連づけて保持するマッピングデータ保持部とをそなえて構成されているので、ユーザは情報を簡単に得ることができる。
【００２８】
（８）本発明に関連する技術の情報提供サービスによれば、データベースと、ユーザ端末と、検索部と、通知部とをそなえ、ユーザ端末が、地図情報出力部と、表示部と、送信部と、受信部と、マッピング部と、マッピングデータ保持部とをそなえて構成されているので、ビジュアル性に優れた状態でその情報を得ることができる。
（９）本発明に関連する技術の情報提供サービス方法によれば、ユーザ端末が、地図に表示される物体を選択する選択ステップと、ユーザ端末が、選択ステップにて選択した物体に関する座標情報と物体が提供するサービス情報の属性を表す表示対象属性情報とを、それぞれ、ユーザ端末とネットワークを介して接続されたサーバに対して送信するユーザ端末送信ステップと、サーバが、ユーザ端末送信ステップにて送信された座標情報および表示対象属性情報に基づいて、空間範囲情報，属性情報およびアドレス情報をそれぞれ、ユーザ端末に対して送信するサーバ送信ステップと、ユーザ端末が、サーバ送信ステップにて送信された空間範囲情報が示す位置に、イメージ形状を物体とともに表示部に表示するマッピングステップとをそなえて構成されているので、企業なども、この地図アプリケーションを利用して、自社の最新の情報をユーザに対して提供することができる。
【００２９】
（１０）本発明に関連する技術の情報提供サービス方法によれば、ユーザ端末が、画像を表示する表示部に地図を表示する地図表示ステップと、ユーザ端末が、地図表示ステップにて表示された地図情報から物体を選択する選択ステップと、ユーザ端末が、ユーザ端末とネットワークを介して接続されたサーバに対して、選択ステップにて選択した物体に関する３次元空間における緯度，経度，高度およびバブル径からなる座標情報と物体に関連する各種情報またはその各種情報に関連するサービス情報の属性を表す表示対象属性情報とを有するマッピング要求を送信する送信ステップと、サーバが、送信ステップのマッピング要求に基づいて、３次元空間における物体の緯度，経度，高度およびバブル径からなる空間範囲情報と物体に関連する各種情報またはその各種情報に関連するサービス情報を得るためのアドレス情報とを対応づけられたバブルデータのうち座標情報および表示対象属性情報を含む特定バブルデータを検索する検索ステップと、サーバが、検索ステップにて検索された特定バブルデータの空間範囲情報とアドレス情報とを有するマッピング応答を、ユーザ端末に対して通知する通知ステップと、ユーザ端末が、通知ステップにて通知された特定バブルデータに基づいて、マッピング応答の空間範囲情報が示す位置に、イメージ形状を物体とともに表示部に表示するマッピングステップとをそなえて構成されているので、サービスセンタは、ユーザが所望する範囲において登録された広告主のサービス情報を提供することができ、利用促進が図れる。
【００３０】
（１１）本発明に関連する技術の情報提供サービス方法によれば、ユーザ端末が、物体に関連する各種情報またはその各種情報に関連するサービス情報の属性を表す属性情報を有する情報ページのうち、属性情報に関し複数の要素からなる特定情報ページをデータベースに記録する情報ページ記録ステップと、サーバが、情報ページ記録ステップにて記録された情報ページに基づいて、３次元空間における物体の緯度，経度，高度およびバブル径からなる空間範囲情報とサービス情報を得るためのアドレス情報とを対応づけられたバブルデータを登録するバブルデータ登録ステップと、サーバが、バブルデータ登録ステップにて登録されたバブルデータに起因する情報をユーザ端末に対して提供する提供ステップとをそなえて構成されているので、ユーザは、地図アプリケーションを用いることにより、最新の情報を得ることができる。
【００３１】
（１２）建物に関連する施設情報またはその施設情報のサービス情報の属性を表す属性情報を有するホームページのうち、属性情報に関し複数のタグからなる文書型定義情報を有する特定ホームページについて、３次元空間における建物の緯度，経度，高度およびバブル径からなる空間範囲情報とサービス情報を得るためのユニフォーム・リソース・ロケータとを対応づけられたバブルデータとして保持するデータベースと、ユーザ端末から送信された、地図に表示された建物の緯度，経度，高度からなる３次元空間における座標情報と地図に表示された建物に関連する施設情報またはその施設情報のサービス情報の属性を表す表示対象属性情報とを有するマッピング要求に基づいて、バブルデータのうち座標情報および表示対象属性情報を含む特定バブルデータを検索する検索部と、特定バブルデータの空間範囲情報，属性情報およびユニフォーム・リソース・ロケータを有するマッピング応答をユーザ端末に対して通知する通知部とをそなえて構成されているので、システムの運用者は、ユーザに対して質の高いサービスを提供することができ、また、企業などの顧客に対しては、非常に大きな宣伝効果を図ることができる。
【００３２】
（１３）検索部が、マッピング要求に基づき、ネットワークに接続された他のデータベースから、特定バブルデータを検索するように構成されてもよく、このようにすれば、ユーザが必要な情報に応じて、地域ごと、国ごとにデータベース化されたデータベースを検索でき、ユーザはより高いサービスを受けることができる。
（１４）ユーザ情報を保持するウェブ情報出力部を設け、ウェブ情報出力部に保持されたユーザ情報を保持するアドレスを生成するアドレス生成部をそなえて構成されてもよく、このようにすれば、サービスセンタは、ＵＲＬの一覧を管理でき、検索対象物に対応するサービス情報を的確に提供できる。
【００３３】
（１５）データベースが、文書型定義情報に、ユーザ端末が表示するアニメーション要素を保持するように構成されてもよく、このようにすれば、ユーザは、一層ビジュアル化された情報を得ることができる。
（１６）データベースが、文書型定義情報に、地図を表示するためのアプリケーションプログラム要素を保持するように構成されてもよく、このようにすれば、ユーザは、ビジュアル化された地図を利用してコンテンツを得ることができる。
【００３４】
（１７）データベースが、文書型定義情報に、特定の通信相手に関する通信相手情報要素を保持するように構成されてもよく、このようにすれば、各ユーザは、それぞれ、希望する相手とのみ通信できる。
（１８）データベースが、文書型定義情報を、複数の要素ごとに分類して保持するように構成されてもよく、このようにすれば、検索において、ディレクトリにあるすべてのファイルを総当たりで検索する手間が不要となり、所望の情報を効率的かつ高速に抽出することができる。
【００３５】
（１９）更新部が、移動物体を検知するための監視バブルデータを保持し、移動物体の位置情報に基づいて監視バブルデータのバブル径を更新するとともに、データベースに保持されたファイルに、移動物体を特定しうる移動物体要素を記録するように構成されてもよく、このようにすれば、サービスセンタは、精度よく車両を追跡でき、ドライバに対して正確な道案内をすることができる。
【００３６】
（２０）データベースが、ファイルに、ユーザ端末が表示する地図の尺度に応じた径を有する相似バブル径に関するデータを記録するように構成されてもよく、このようにすれば、地図にマッピングされた情報をビジュアル化でき、ユーザは、自分が表示させている地図の縮尺に応じた大きさの情報バブルを得ることができる。
（２１）データベースが、ファイルに、ユーザ端末のアクセスに起因するアドレス情報の履歴情報と、ユーザ端末を識別しうる識別子情報とのうちの少なくとも一方の情報を保持するように構成されてもよく、このようにすれば、移動物体でも、通過履歴を適切に追跡されるので、ユーザは、正確な道案内を受けることができる。
【００３７】
（２２）データベースが、ファイルに、カウンタ値が変化しうるカウンタに関するデータを保持するように構成されたり、アクセス可能な時間に関するデータを保持するように構成されてもよく、このようにすれば、ユーザから送信されたデータなどに基づいて処理され、その処理結果によりアクセス制限ができる。
（２３）データベースが、ファイルに、ユーザ端末にて地図を表示するアプリケーションプログラムに関するデータを保持するように構成されてもよく、このようにすれば、ユーザ端末に適合して実行されるので、ユーザはビジュアル化されたデータを得られる。
【００３８】
（２４）データベースが、空間範囲情報に基づくアドレス情報を電子メールアドレスとし、この電子メールアドレスに対応して空間範囲情報を保持するように構成されてもよく、このようにすれば、非常に登録が簡単になりサービスの利用が促進される。
（２５）３次元空間における建物の地図情報を出力する地図情報出力部と、地図情報出力部から出力された地図情報に基づいて建物の画像を画面に表示する表示部と、表示部に表示された建物の３次元空間における緯度，経度，高度およびバブル径からなる座標情報と建物に関連する施設情報またはその施設情報のサービス情報の属性を表す表示対象属性情報とを有するマッピング要求を、ユーザ端末とネットワークを介して接続されたサーバに対して送信する送信部と、マッピング要求についてサーバが通知した、座標情報に対応する３次元空間における建物の緯度，経度，高度およびバブル径からなる空間範囲情報とサービス情報を得るためのユニフォーム・リソース・ロケータとを有するマッピング応答を受信する受信部と、マッピング応答に含まれる空間範囲情報が示す位置に、イメージ形状を建物の画像とともに表示部に表示するマッピング部と、マッピング部により表示されるイメージ形状とマッピング応答に含まれるユニフォーム・リソース・ロケータとを関連づけて保持するマッピングデータ保持部とをそなえて構成されているので、ユーザは情報バブルを適切に表示させることができ、ユーザの通信キャリアへの加入を促進できる。
【００３９】
（２６）受信部が、マッピング要求が有する座標情報に基づき、表示部が表示する地図の尺度に応じた径を有する相似バブル径を含む空間範囲情報とアドレス情報とを有するマッピング応答を受信するように構成されてもよく、このようにすれば、ユーザは、バブルデータをビジュアル化された状態にて得ることができる。
（２７）３次元における物体の緯度，経度，高度，方位および傾斜角度を有する位置情報を検出する検出部をそなえて構成されてもよく、その検出部が、方位を測定しうる方位センサと、グローバル・ポジショニング・システムを用いた衛星情報を受信しうる衛星情報受信部と、ユーザ端末の水平線からの傾斜角度を測定しうる傾斜センサとのうちの少なくとも一つをそなえて構成されてもよく、このようにすれば、ビジュアル化された情報を得ることができる。
【００４０】
（２８）送信部が、座標情報に基づいて生成された電子メールアドレスを用いてマッピング要求を送信するように構成されてもよく、このようにすれば、データ送受信量が少なくなり、トータル的には、消費電力の削減が可能となる。
（２９）サーバと、ユーザ端末とをそなえ、サーバが、データベースと、検索部と、通知部とをそなえ、更に、ユーザ端末が、地図情報出力部と、表示部と、送信部と、受信部と、マッピング部と、マッピングデータ保持部とをそなえて構成されているので、ユーザは、地図アプリケーションを用いることにより、最新の情報を得ることができる。
【００４１】
（３０）ユーザ端末が、画像を表示する表示部に地図を表示する地図表示ステップと、ユーザ端末が、地図表示ステップにて表示された地図情報から物体を選択する選択ステップと、ユーザ端末が、ユーザ端末とネットワークを介して接続されたサーバに対して、選択ステップにて選択した物体に関する３次元空間における座標情報と提供するサービス情報の属性を表す表示対象属性情報とを有するマッピング要求を送信する送信ステップと、サーバが、送信ステップのマッピング要求に基づいて、３次元空間における物体の緯度，経度，高度およびバブル径からなる空間範囲情報と物体が提供するサービス情報を得るためのアドレス情報とを対応づけられたバブルデータのうち座標情報および表示対象属性情報を含む特定バブルデータを検索する検索ステップと、サーバが、検索ステップにて検索された特定バブルデータの空間範囲情報とアドレス情報とを有するマッピング応答を、ユーザ端末に対して通知する通知ステップと、ユーザ端末が、通知ステップにて通知されたマッピング応答の空間範囲情報が示す位置に、イメージ形状を物体とともに表示部に表示するマッピングステップと、マッピングステップにて表示されたイメージ形状と地図とをユーザ端末に対して提供する提供ステップとをそなえて構成されているので、運用者は、ユーザに対しては、質の高いサービスを提供することができ、また、企業などの顧客に対しては、非常に大きな宣伝効果を図ることができる。
【００４２】
（３１）地図表示ステップが、ユーザ端末が、取得した緯度または経度のうちの少なくとも一つに基づいて、地図を画面に表示するように構成されてもよく、このようにすれば、どの場所にいても、ユーザは情報バブルを得ることができる。
（３２）通知ステップが、サーバが、送信ステップにて送信されたマッピング要求に含まれる座標情報に基づいて、ユーザ端末の表示部が表示する地図の尺度に応じた径を有する相似バブル径を出力する変化ステップと、ユーザ端末が、変化ステップにて出力された相似バブル径をマッピング応答に挿入する挿入ステップとをそなえて構成されてもよく、このようにすれば、ユーザは、正確な大きさの情報バブルを得ることができる。
【００４３】
（３３）変化ステップが、サーバが、アクセス回数，アクセス可能時間またはアクセス可能季節に基づいて、相似バブル径を変化するように構成されてもよく、このようにすれば、サービスセンタは、アクセス制限をでき、多彩なサービスを提供することができる。
（３４）通知ステップが、サーバが、ユーザ端末にて地図を表示するアプリケーションプログラムに関する情報を通知するように構成されてもよく、このようにすれば、サービスセンタは、アクセス制限が可能となり多彩なサービスを提供することができる。
【００４４】
（３５）検索ステップが、サーバが、アクセスによってカウンタ値が変化しうるカウンタを用いて検索するように構成されても、カウントの停止により所定のファイルが消滅するように構成されても、サーバに同時にアクセスできるアクセス数に基づいて検索するように構成されても、特定の通信相手に関する通信相手情報に基づいて検索するように構成されてもよく、さらに、予め設定され通信相手に関する情報に合致する通信相手バブルデータを読み出す読み出しステップと、サーバが、ユーザ端末の現在位置情報を受信する現在位置情報受信ステップと、サーバが、通信相手バブルデータと現在位置情報とに基づいて、ユーザ端末と通信相手との接近を検出する接近検出ステップと、サーバが、ユーザ端末に接近を通知する接近通知ステップとをそなえて構成されてもよく、このようにすれば、サービスセンタは、簡単に、種々のビジュアル的なサービスを提供することができる。
【００４５】
（３６）バブルデータ登録ステップが、サーバが、情報ページ記録ステップにて記録された情報ページの文書型定義情報のうち所定の要素を有する複数の特定文書型定義情報を抽出する特定文書型定義情報抽出ステップと、サーバが、複数の特定文書型定義情報を、バブルデータとして登録する第１登録ステップとをそなえて構成されてもよく、このようにすれば、ユーザがサービス情報を得るためのユーザインターフェースを向上させることができる。
【００４６】
（３７）バブルデータ登録ステップが、サーバが、情報ページ記録ステップにて記録された情報ページを他のデータベースに、記録する記録ステップと、サーバが、記録ステップにて記録した情報ページについて、３次元空間における物体の緯度，経度，高度およびバブル径からなる空間範囲情報とサービス情報を得るためのアドレス情報とを対応づけられたバブルデータとしてデータベースに登録する第２登録ステップとをそなえて構成されてもよく、このようにすれば、システムにて定義されたデータを視覚化することが可能となり、また、属性情報を利用してフィルタリングできるので、必要な情報検索を容易に可能となる。
【図面の簡単な説明】
【００４７】
【図１】第１実施形態に係る情報提供サービスシステムの構成図である。
【図２】第１実施形態に係るサービスセンタのブロック図である。
【図３】第１実施形態に係るサービスセンタの他のブロック図である。
【図４】第１実施形態に係る携帯端末のブロック図である。
【図５】第１実施形態に係る建物配置を模式的に示す図である。
【図６】第１実施形態に係るバブルデータの空間占有情報のイメージを示す図である。
【図７】第１実施形態に係るバブルデータを説明するための図である。
【図８】第１実施形態に係る他のバブルデータを説明するための図である。
【図９】（ａ）〜（ｈ）はいずれも第１実施形態に係る建物データの一例を示す図である。
【図１０】第１実施形態に係る情報提供サービスシステムへの登録を説明するためのシーケンスを示す図である。
【図１１】第１実施形態に係るバブルデータの料金体系を説明するための図である。
【図１２】第１実施形態に係る情報提供サービスシステムへのパソコンを用いた登録を説明するためのシーケンスを示す図である。
【図１３】第１実施形態に係る情報提供サービスシステムへのメールを用いた登録を説明するためのシーケンスを示す図であり
【図１４】第２実施形態に係る情報提供サービスシステムの構成図である。
【図１５】第２実施形態に係るパソコンのブロック図である。
【図１６】第２実施形態に係るサービスセンタのブロック図である。
【図１７】第２実施形態に係るＰＤＡの概略ブロック図である。
【図１８】第２実施形態に係る地図情報のマッピング方法を説明するための送受信シーケンス例を示す図である。
【図１９】第２実施形態に係る画像の一例を示す図である。
【図２０】第２実施形態に係るマッピングされた画像の一例を示す図である。
【図２１】第２実施形態に係るバブルデータの表示の他の一例を示す図である。
【図２２】第２実施形態に係るＤＴＤ情報を説明するための図である。
【図２３】（ａ）は第２実施形態に係るＤＴＤ情報を説明するための図であり、（ｂ）は第２実施形態に係る状態ファイルを説明するための図である。
【図２４】第１実施形態に係るマッピング方法を説明するための図である。
【図２５】第２実施形態に係る地図表示を説明するための図である。
【図２６】第２実施形態に係る情報バブルの検索を説明するための図である。
【図２７】第２実施形態に係る重合時の画像表示を示す図である。
【図２８】第２実施形態に係るホームページへのアクセス制限を説明するための図である。
【図２９】第２実施形態に係るバブルデータ同士の接近時のサービスを説明するための図である。
【図３０】第３実施形態に係るカーナビシステムを説明するための図である。
【図３１】第３実施形態に係るカーナビシステムを説明するための図である。
【発明を実施するための形態】
【００４８】
以下、図面を参照して本発明の実施の形態を説明する。
（Ａ）第１実施形態の説明
図１は第１実施形態に係る情報提供サービスシステムの構成図である。この図１に示す情報提供サービスシステム（以下、システムと略称することがある）９は、ユーザ端末に対して情報を提供するシステムであって、サービスセンタ１９と、複数の携帯端末１１と複数の携帯情報端末（Personal Digital Assistants：ＰＤＡ  以下、ＰＤＡと略称することがある。）３２とをそなえるほか、無線基地局（電波塔）１０ａ，無線ネットワーク１０，ゲートウェイサーバ１３ａ，インターネット１２，ｗｅｂサーバ１３ｂ，ＤＮＳ（Domain Name System）サーバ１３ｃなどが接続されている。
【００４９】
このシステム９は、電話サービスなどに加えて、次の（１），（２）の２種類のサービスを提供する。
（１）携帯端末１１またはＰＤＡ３２が向けられた方向の所定距離範囲にある複数の建物の情報をその携帯端末１１又ＰＤＡ３２に表示させるサービス（以下、サービス１と称することがある）。例えば、ユーザは、携帯端末１１またはＰＤＡ３２を所望の方向に向け、その端末位置から１００メートル（１００ｍ）の範囲にあるビルに関する情報を得るときに利用することができる。
【００５０】
（２）携帯端末１１またはＰＤＡ３２が指定した特定の建物に関する情報をその携帯端末１１またはＰＤＡ３２に表示させるサービス（以下、サービス２と称することがある）。例えば、ユーザは、携帯端末１１またはＰＤＡ３２を目の前にあるビルに向け、そのビル内の店舗が販売している商品情報などを得るときに利用できる。
また、サービス１によると、ユーザはユーザの位置から１００ｍ以内にあるビルに関する情報を得ることができる。サービス２によると、ユーザはユーザの視線方向の最初に見えるビルについての情報を得られる。
【００５１】
図１において、無線ネットワーク１０は例えば通信事業者（通信キャリア，以下、キャリアと略称することがある。）が運用している移動物体通信システムのものである。なお、本システム９の運用者（以下、システム運用者という。）は、例えばそのキャリアであったり、あるいは独立した事業者である。
サービスセンタ１９は、３次元空間における物体（例えば建物，建物の各フロア，看板など現実に存在する物または空間を移動する物）または所望空間の緯度，経度，高度および後述するバブル径からなる空間占有情報（空間範囲情報または空間領域情報）と、その物体に関連する各種情報またはその各種情報に関連するＵＲＬ（Uniform Resource Locator，ユニフォーム・リソース・ロケータ）とが対応づけられたバブルデータを保持するサーバを含むものである。さらには、このサーバは、所望空間の空間占有情報と、その所望空間に関連づけたい各種情報またはその各種情報に関連するＵＲＬとが対応づけられたバブルデータをも含むことができる。バブルとは、上記空間占有情報が３次元空間における特定の空間であり、それが、３次元空間に浮かんだ泡のごときものであり、これを用いて現実の建物を再現している。一般に、バブルは、球形を連想するが、ここでは、特に球形に限定するものではない。
【００５２】
これにより、サーバは、空間占有情報とＵＲＬとをリンクさせる方法と検索し易さとをバブル径（情報バブルが球形のときの半径を表す。情報バブルが楕円球のときはその長径および短径を表し、それぞれに対応する値を設定する必要がある。さらに、情報バブルが建物の容積に則した四角柱の形状のときはその四角柱の幅などを表す。）を用いて、制御できる。また、ユーザは、携帯端末１１などの移動端末のみならず、パソコンを用いることにより、サーバに構築された空間占有情報を表すことができる。
【００５３】
なお、第１実施形態においては、主に、ユーザが携帯端末１１を用いて端末の位置を取得してその位置に関するデータを、サービスセンタ１９に送信する態様である。一方、第２実施形態においては、バブルデータの空間占有情報のイメージ（情報バブル）を、ユーザのパソコンに発生させる方法を説明する。第２実施形態においては、主に、ユーザがパソコンを用いて、そのパソコンに予めインストールした地図に、サービスセンタ１９からのバブルデータを重ね合わせて表示する態様である。
【００５４】
ここで、携帯端末１１は、電話および通信機能を有するほかに、サービスセンタ１９とインターネット１２を介して接続されそのバブルデータを用いて検索された各種情報を表示できるようになっている。この携帯端末１１は、例えば携帯電話であって、図４にて後述するように、無線送受信回路、変復調回路、音声処理回路および表示用のディスプレイ（ウィンドウ）などを有する。
【００５５】
さらに、ＰＤＡ３２は、通信機能を有し、サービスセンタ１９とインターネット１２を介して接続されそのバブルデータを用いて検索された各種情報を表示するものである。このＰＤＡ３２は、例えば携帯型の情報表示機器であって、無線送受信回路、変復調回路および表示用のディスプレイを有する（後述する図１７参照）。
また、これら携帯端末１１およびＰＤＡ３２のディスプレイは、いずれも、地図を表示することもできる。
【００５６】
これら携帯端末１１とＰＤＡ３２とは、いずれも、ユーザ端末として機能しており、無線ネットワーク１０の加入者端末であって、無線基地局１０ａを介して、サービスセンタ１９と自由にアクセスできるようになっている。そして、ユーザがサービスセンタ１９にアクセスするために、ユーザは、携帯端末１１のテンキーやＰＤＡ３２のタッチパネルなどを操作する。従って、携帯端末１１がサービスセンタ１９とアクセスするのと同様に、ＰＤＡ３２もサービスセンタ１９とアクセスできるようになっている。以下、主に、携帯端末１１を例にして説明し、ＰＤＡ３２については、携帯端末１１とほぼ同様でありその説明を省略する。
【００５７】
そして、無線基地局１０ａは携帯端末１１と無線ネットワーク１０とに接続されて無線信号を送受信するものであり、ゲートウェイサーバ１３ａは所望のＵＲＬを有するサーバが出力した信号のみを通過させるものである。
また、インターネット１２はＷＷＷ（World Wide Web）プロトコルを使用することができるネットワークであって、ハイパーテキスト転送プロトコル（Hyper Text Transfer Protocol；ｈｔｔｐ）を用いた多数のサーバが接続されたものである。そして、ｗｅｂサーバ１３ｂは個人，企業などのコンテンツが記載されたホームページファイルを保持するものである。さらに、ＤＮＳサーバ１３ｃはホスト名に対応するＩＰ（internet protocol）アドレスを出力するものである。
【００５８】
このインターネット１２には、ｗｅｂサーバ１３ｂのほかに、多数のｗｅｂサーバ（ｗｅｂサイト，図示省略）が接続され、これらのｗｅｂサーバには、多数のホームページのソースファイル（以下、ホームページファイルと称することがある。）が保持されており、世界中からアクセスされるようになっている。すなわち、ユーザは、ｗｅｂサーバ１３ｂに対して、自分が作成したホームページファイルを保持（登録）するために、このホームページファイルを転送する一方、その本人および他人は、ｗｅｂサーバ１３ｂのＵＲＬを指定して、その作成されたホームページを見られるようになっている。
【００５９】
なお、アドレス情報としては、ＵＲＬの代わりに、ＵＲＩ（Uniform Resource Identifier，ユニフォーム・リソース・アイデンティファイア）や、ＵＲＮ（Uniform Resource Name，ユニフォーム・リソース・ネーム）を用いることもできる。ＵＲＬは、インターネット１２の資源を示すＵＲＩの前に、その資源に対して適用するプロトコルを記入されたものであって、その書式は、「プロトコル：ＵＲＩ」で表され、http://130.***，ftp://130.***，gopher://130.***などである。また、ＵＲＩはｈｔｔｐを用いたインターネット１２の資源に対して統一的に付与された名称であって、インターネット１２の資源であるコンピュータ名を表すＩＰアドレスである。さらにＵＲＮは唯一のアドレスを表すものである。
【００６０】
多くの場合、ユーザは、インターネット１２に接続するために、パソコンを用いており、また、携帯端末１１などを用いても接続できるようになっている。パソコンによる場合は、ユーザは、パソコンの通信機能を用いて、企業などからＬＡＮ（Local Area Network）を介して直接インターネット１２に接続したり、あるいは、家庭などからモデムやＤＳＵ（Digital Service Unit）を用いて、インターネットプロバイダを介してインターネット１２に接続する。また、携帯端末１１などによる場合は、ユーザは、加入しているキャリアにアクセスし、そのキャリアに設けられたプロトコル変換用のサーバ（図示省略）を介して、インターネット１２に接続するようになっている。
【００６１】
ここで、携帯端末１１などによるデータ伝送量は、無線ネットワーク１０を経由しているので制限されている。このため、ｗｅｂサーバ１３ｂに保持されるホームページファイルのコンテンツは、ユーザがパソコンを用いてアクセスした場合と、携帯端末１１を用いてアクセスした場合との２種類が保持されることも多い。
なお、図１に示すシステム９は、後述する第２実施形態、第３実施形態においても同様の構成である。
【００６２】
図２は第１実施形態に係るサービスセンタ１９のブロック図である。第１実施形態においては、下記の各部を有する一つのサーバが、サービスセンタ１９を構成する例を説明する。この図２に示すサービスセンタ１９は、データベース１５，第１受信部１６，第１送信部１７，抽出部４０，提供部４１，ｗｅｂ情報出力部（ｗｅｂ）１８ｂ，ゲートウェイ部（ＧＷ:Gate Way）１８ａ，ＤＮＳ（Domain Name Server）部１８ｃ，メール送受信部１８ｄをそなえて構成されている。
【００６３】
ここで、データベース（空間占有情報／ＵＲＬデータベース）１５は、３次元空間における物体の緯度，経度，高度およびバブル径からなる空間占有情報と、物体に関連する各種情報またはその各種情報に関連するサービス情報を得るためのＵＲＬとを対応づけられたバブルデータを保持するものである。
また、データベース１５は、空間占有情報を処理するために、３次元地理データを有している。なお、データベース１５は、必ずしもサービスセンタ１９に設けられる必要はなく、インターネット１２に接続された別の場所のサーバに保持されるようにしてもよい。また、このデータベース機能は、図示を省略するが、ハードディスク，ＲＯＭ（Read Only Memory），ＲＡＭ（Random Access Memory）などにより実現される。
【００６４】
また、物体に関連する各種情報とは、建物に関連する施設情報であり、例えば、ビル，東京タワーおよびそれらのビルなどにある店舗情報などや、公共輸送機関の駅情報などをいう。そして、各種情報に関連するサービス情報とは、その施設情報のサービス情報であり、例えば、企業ビルの自社製品情報，東京タワーの開館情報およびビル内のレストランや飲食店のメニューなどや、駅の時刻表情報をいう。ここで、ＵＲＬがサービス情報を得るためのアドレスとして機能している。以下の説明においては、特に断らない限り、これらについて同様の意味で使用する。データベース１５の構築の容易性を考慮すると、空間占有情報と各種情報とを直接対応づけるのではなく、空間占有情報とＵＲＬとを対応づけてデータベース１５を構築する方がより効率的である。
【００６５】
なお、後述する第２実施形態においては、データベース化は、建物に関連する施設情報（例えばイタリア料理店，病院）またはその施設情報のサービス情報の属性（例えばイタリア料理の提供，病気の治療）を表す属性情報を有するホームページのうち、それらの属性情報に関し複数のタグからなるＤＴＤ情報（Document Type Definition）を有するＳＧＭＬ（Structured Generalized Markup Language）またはＸＭＬ(Extensible Markup Language：拡張可能なマークづけ言語）を用いて書かれたホームページについて、３次元空間における建物の緯度，経度，高度およびバブル径からなる空間占有情報とサービス情報を得るためのユニフォーム・リソース・ロケータとを対応づけられたバブルデータとして保持するようにもなっている。
【００６６】
図７は第１実施形態に係るバブルデータを説明するための図である。この図７に示す空間占有情報は、建物のオーナーや企業，レストランなどが、予め登録した建物などの物体についての情報であって、このバブルデータは、緯度／経度／高度／バブル径を、それぞれ、Ａ／Ｘ／０／３で表されている。
また、各ＵＲＬにより、提供するサービス情報が書き込まれたホームページが簡易に検索できるようになっている。換言すれば、物体に関連するサービス情報を表示したｗｅｂサイトが、ＵＲＬに関連づけて保持されているのである。
【００６７】
さらに、属性情報（属性情報要素）とは、提供するサービス情報を表すものであって、建物などの業種を示すものである。また、特定の学校，官公庁などに関するバブルデータについては、予め、システム運用者が登録するようにし、その登録されたバブルデータが、後から上書きをされないように、書き込み禁止にされるようになっている。すなわち、各属性情報は、書き込み許可／禁止を表す属性をも有する。従って、システム運用者は、特定の区域または建物について、ユーザが私有物としてバブルデータを登録することを禁止できる。
【００６８】
また、この図７に示すバブル番号（バブルＩＤ：バブルIdentification）は、各バブルデータを識別するための固有（ユニーク）な番号である。例えば、図７に示すバブル番号２〜５の病院は、空間占有情報とＵＲＬとが同一であるが、複数の診療科を有するので、バブル番号を用いることによって、これらの診療科までをもユニークに、識別できるようになっている。従って、バブルデータを、このバブルデータのサービス情報の内容について識別可能な固有番号を関連づけて保持するように構成されたことになる。
【００６９】
そして、ユーザは、携帯端末１１などを用いてサービスセンタ１９にデータを送信するときに、バブル番号を指定して入力することができるようにもなっている。一例として、ユーザがサービス１またはサービス２により検索されたバブル番号１０のイタリア料理店を利用して、「その料理内容が良かった」、あるいは、「そのイタリア料理店を他人に教えてあげたい」と思った場合に、そのバブルデータを特定できる。このため、再度、ユーザが、そのイタリア料理店のサービス情報を知りたいと思ったり、あるいは、他人から伝え聞いた第３者がサービスセンタ１９にアクセスしてバブル番号１０を入力して、そのサービス情報（メニュー，開店時間）や場所などを得られるようになっている。
【００７０】
そのサービス情報を得る方法は、ユーザがそのバブル番号１０を入力して送信し、サービスセンタ１９が空間占有情報（Ｂ／Ｘ／２／１）と、ＵＲＬ（ｈｔｔｐ：／／ｗｗｗ．ｘｘｘ．２０１）とのうちの一方、または、両方を、携帯端末１１，ＰＤＡ３２およびパソコンなどに対して送信するようにしている。そして、これらの情報が、ディスプレイに表示されるのである。これにより、ユーザは、特定のサービス情報をバブル番号により記憶することができる。
【００７１】
一方、サービスセンタ１９は、ユーザからのサービス１，サービス２の依頼に対する検索に当たり、空間占有情報またはＵＲＬの一方を用いて検索し、その検索結果を複数のバブル番号とともに携帯端末１１に送信するようになっている。
このように、バブル番号を固有なサービス情報に付与することによって、ユーザとサービスセンタ１９とは、ともに、空間占有情報とＵＲＬとサービス情報とを個別にかつ確実に特定することができる。
【００７２】
ここで、サービスセンタ１９は、上記サービス１を提供するに当たり、携帯端末１１から送信された位置情報と検索距離範囲とを受信すると、その位置情報を用いてユーザが指定する建物に対応するバブルデータを検索して、携帯端末１１の位置から例えば北方向の１００ｍにある複数のビルを検索し、それら複数のビルのそれぞれに対応する複数のＵＲＬを取得し、その複数のＵＲＬに保持されたコンテンツをそれぞれ携帯端末１１に対して送信する。
【００７３】
これにより、サービスセンタ１９は、ユーザから１００ｍ以内にあるビルについてのサービス情報を提供することができる。
更に詳述すると、サービスセンタ１９はその位置情報に基づいて、バブルデータを、検索ベクトルＶを用いて検索するようになっている。この検索ベクトルＶとは、携帯端末１１が送信する位置情報に基づいて、端末位置から建物，ビル，店舗，寺院などの検索対象物に向かうベクトルである。また、検索ベクトルＶは、サービスセンタ１９によって携帯端末１１から送信される位置情報に基づいて生成され、サービスセンタ１９は、検索対象物方向の検索ベクトルＶと交差する複数の情報バブル（バブルデータの空間占有情報のイメージ）を検索結果として出力するのである。なお、サービスセンタ１９は、複数の情報バブルのうち、所定距離範囲内にあるビルの内部にある店舗のサービス情報を選択して携帯端末１１に対して送信するようにもできる。
【００７４】
また、サービスセンタ１９は、上記サービス２を提供するに当たり、携帯端末１１から送信された位置情報を受信すると、端末の位置と方向とから上記同様検索ベクトルＶを生成し、検索ベクトルＶと最初に交差する情報バブルを検索し、ユーザが指定した、例えばレストランが提供するランチメニューなどのコンテンツを、携帯端末１１に対して送信する。これにより、サービスセンタ１９は、ユーザが指定した店舗などのサービス情報を提供することができる。
【００７５】
さらに、空間占有情報のイメージは、図９（ａ）〜図９（ｈ）などを用いて後述するように、空間における球，楕円球または建物の容積に則した四角柱の形状をしており、この形状は、種々変形して登録することができる。また、イメージは、閉じた空間（占有された空間）のみならず、空間における所定範囲の部分であったり、片側無限大の範囲に設定することもできる。
【００７６】
そして、データベース１５に、バブルデータが書き込まれると、バブルデータの空間占有情報のイメージ（情報バブル）が発生し、そのデータベース１５から、バブルデータが消去されると、情報バブルが消滅するのと同一の効果を有する。
次に、サービスセンタ１９について、図２を用いて説明する。図２に示す第１受信部１６は、携帯端末１１が送信した緯度，経度，高度，方位および傾斜角度を有する位置情報を受信するものである。この機能は、パソコンやワークステーションが有する入力ポート、ＣＰＵ（Central Processing Unit：図示省略），ＲＯＭ，ＲＡＭなどにより実現される。
【００７７】
そして、抽出部４０は、携帯端末１１から送信された携帯端末１１の緯度，経度，高度，方位および傾斜角度を有する位置情報に基づいて、データベース１５が保持する空間占有情報のうち位置情報を含む（上記検索ベクトルＶと交差する）特定空間占有情報に対応する特定ＵＲＬ（特定アドレスまたは特定検索情報を意味する）を抽出するものである。
また、提供部４１は、抽出部４０にて抽出された特定ＵＲＬに対応する特定サービス情報を携帯端末１１に提供するものである。この提供部４１は、携帯端末１１に、ＵＲＬを提供（送信）したり、あるいは、ＵＲＬに対応するコンテンツ名称を提供することもできる。これについては、後述する。これにより、ユーザは所望の検索対象物の情報を得ることができ、複雑な検索が不要となる。
【００７８】
そして、第１送信部１７は、第１受信部１６にて受信された携帯端末１１からの位置情報に基づいて、データベース１５が保持する複数のバブルデータ／ＵＲＬのうち、その位置情報と対応するバブルデータ／ＵＲＬを選択し、そのＵＲＬに対応するｗｅｂサーバ（ｗｅｂサイト）に表示されるサービス情報を携帯端末１１に対して送信するものであって、この機能は、パソコンやワークステーションが有する出力ポート、ＣＰＵ，ＲＯＭ，ＲＡＭなどにより実現される。
【００７９】
ｗｅｂ情報出力部１８ｂはユーザ情報（個人，レストランおよび企業などのコンテンツ）を保持するものであり、ＵＲＬ生成部（アドレス生成部）５５と、メッセージ格納部５６とを有する。このＵＲＬ生成部５５は、ｗｅｂ情報出力部１８ｂに保持されたその個人，企業などのサービス情報を保持するＵＲＬを生成するものである。サービスセンタ１９は、このＵＲＬ生成部５５によって、ＵＲＬの一覧を管理でき、検索対象物に対応するサービス情報を的確に提供できる。
【００８０】
また、メッセージ格納部５６はユーザから入力されるメッセージを保持するものであって、例えばメモリからなる。そして、このメッセージが、バブルデータ（空間占有情報と、サービス情報を得るためのＵＲＬとを対応づけられたもの）のうち空間占有情報と対応づけられて、メッセージ格納部５６に書き込まれるようになっている。
さらに、このメッセージと空間占有情報との対応づけは、複数のメッセージが、その空間占有情報の内部に設けられた複数の小さな情報バブルに割り当てられ、それら複数の小さな情報バブルのそれぞれに個別のＵＲＬが付与されるようになっている。そして、個別のＵＲＬのそれぞれに、メッセージが保持されるのである。
【００８１】
また、これにより、サービスセンタ１９は、ＵＲＬの一覧を管理でき、検索対象物に対応するサービス情報を的確に提供できる。
そして、ＤＮＳ部１８ｃはホスト名とＩＰアドレスとの変換テーブルを有し受信したホスト名に対応するＩＰアドレスを出力するものである。また、メール送受信部１８ｄは電子メール（以下、メールと略称することがある）を送受信するものであり、後述するように、緯度，経度，高度およびバブル径の４種類の情報とメールアドレスとを対応づける機能を有する。さらに、ゲートウェイ部１８ａは公知のゲートウェイ機能を有するものである。
【００８２】
なお、これらの機能は、いずれも、ＣＰＵ，ＲＯＭ，ＲＡＭなどが協働することにより実現される。
また、サービスセンタ１９が有する各機能は、分散させることもできる。
図３は第１実施形態に係るサービスセンタ１９の他のブロック図である。この図３に示すサービスセンタ１９は、図２に示す一つのサーバで構成したサービスセンタ１９の構成について、その各機能を複数のサーバに分散して構成した例である。この図３に示すサービスセンタ１９は、ゲートウェイサーバ１３ａ，ｗｅｂサーバ１３ｂ，ＤＮＳサーバ１３ｃ，メールサーバ１３ｄ，検索サーバ１３ｅ，データベース１５をそなえて構成されている。
【００８３】
ここで、ゲートウェイサーバ１３ａはゲートウェイ部１８ａと同様の機能を有する。また、ｗｅｂサーバ１３ｂはｗｅｂ情報出力部１８ｂと、ＤＮＳサーバ１３ｃはＤＮＳ部１８ｃと、メールサーバ１３ｄはメール送受信部１８ｄと、検索サーバ１３ｅは提供部４１とそれぞれ同様である。
さらに、上述したものと同一の符号を有するものは同一のものまたは同様の機能を有するものなので、重複した説明を省略する。なお、分散させた配置は、第２実施形態，第３実施形態においても同様に構成できる。
【００８４】
図４は第１実施形態に係る携帯端末１１のブロック図である。この図４に示す携帯端末１１は、アンテナ１１ｄ，１１ｅ，検出部２１，無線モジュール１１ｆ，制御モジュール１１ｇ，表示部１１ｈ，スピーカ１１ｉ，マイク１１ｊをそなえて構成されている。
ここで、アンテナ１１ｄは衛星から送信された無線信号を受信するＧＰＳアンテナであり、また、アンテナ１１ｅは無線ネットワーク１０との間にて無線信号を送受信するものである。
【００８５】
検出部２１は、端末の緯度，経度，高度，方位および傾斜角度を有する位置情報を検出するものであり、ＧＰＳモジュール（衛星情報受信部）１１ｃ，地磁気センサ１１ｂ，傾斜センサ１１ａを有する。
このＧＰＳモジュール１１ｃはグローバル・ポジショニング・システムを用いた衛星情報を受信しうるものである。この衛星情報とは、携帯端末１１の緯度，経度，高度の情報である。また、ＧＰＳモジュール１１ｃはアンテナ１１ｄの方向を制御できるようになっている。
【００８６】
地磁気センサ（方位センサ）１１ｂは地磁気を検出し方位を測定しうるものである。ここで、方位の基準は、例えばアンテナ１１ｅの伸張する方向を表す。この地磁気センサ１１ｂは、コイル（図示省略）を有し、そのコイルを貫く磁束の大きさにより、地磁気を測定するようになっている。なお、この測定方法は、公知のものであるので、詳細な説明を省略する。
【００８７】
また、傾斜センサ（ジャイロセンサ）１１ａは、携帯端末１１の水平線からの傾斜角度を測定しうるものである。この傾斜センサ１１ａは、ジャイロモジュールと協働することにより、携帯端末１１の姿勢を検出するようになっている。
次に、無線モジュール１１ｆは無線信号を送受信するものであって、第２送信部２２ａ，第２受信部２２ｂをそなえて構成されている。
【００８８】
この第２送信部２２ａは検出部２１にて検出された携帯端末１１の位置情報をサービスセンタ１９に対して送信するものであり、また、第２受信部２２ｂは第２送信部２２ａが送信した位置情報について、サービスセンタ１９が送信した３次元空間における物体の緯度，経度，高度およびバブル径からなる空間占有情報のうち上記の位置情報を含む特定空間占有情報に対応する特定サービス情報を受信するものである。これらの第２送信部２２ａおよび第２受信部２２ｂは、それぞれ、無線回路からなる。
【００８９】
さらに、制御モジュール１１ｇは携帯端末１１の各部分の動作を制御するほかに、所定のプロトコルスタックに基づいて送受信用のデータフォーマットを処理するものであり、この機能は、ＣＰＵ，ＲＯＭ，ＲＡＭなどにより実現される。また、表示部１１ｈは第２受信部２２ｂにて受信した特定サービス情報を表示するものであり、この機能は、ウィンドウディスプレイにより実現される。さらに、スピーカ１１ｉは音声を出力するものであり、マイク１１ｊは音声を入力するものである。これらは、いずれも、増幅器（図示省略）によって、増幅されるようになっている。従って、携帯端末１１は、表示，ＧＰＳ受信，方位検出，無線信号の送受信の各機能を有する。
【００９０】
なお、この図４に示すマッピング部５８ｆと、地図情報保持部５８ｃとは、いずれも、後述する第２実施形態，第３実施形態にて説明する。
ユーザはサービス１を受けるに当たり、携帯端末１１を所定の方向に向けて、検索する距離範囲を例えば１００ｍとして携帯端末１１に入力する。そして、携帯端末１１は携帯端末１１の位置情報を取得し、その位置情報と距離範囲とをサービスセンタ１９に対して送信し、サービスセンタ１９からのサービス情報を受信するのである。また、ユーザは、サービスセンタ１９に対して、所定距離範囲内にあるビル内の店舗にあるサービス情報を選択して送信するように要求することもできる。なお、ユーザは距離範囲を入力する代わりに、予め携帯端末１１に例えば１００ｍ以内にするように設定するようにもできる。あるいは、サービスセンタ１９側において、予め１００ｍ以内のものを検索するように設定してもよい。
【００９１】
これにより、ユーザは、ユーザの視線方向にあるＡビル，Ｂビル，Ｃビルと３種類のビルに関する情報またはそれらに関連する情報を得ることができる。
また、ユーザはサービス２を受けるに当たり、携帯端末１１をレストランがあるＤビルの９階方向に向ける。そして、携帯端末１１は、取得した位置情報をサービスセンタ１９に対して送信し、サービスセンタ１９からそのレストランに関するサービス情報を得る。これにより、ユーザは特定のビルについてのサービス情報を得ることができる。
【００９２】
次に、図５〜図９（ａ）〜（ｈ）を用いて、サービスセンタ１９が携帯端末１１の位置情報から所望のサービス情報を取得してそのサービス情報をユーザに対して提供するサービスについて説明する。
図５は第１実施形態に係る建物配置を模式的に示す図である。この図５に示す４件の建物の位置は、いずれも、同一の経度を有し、異なる緯度を有する。例えば、Ａビルは緯度Ａ−１〜Ａ＋１の範囲に位置し、また、Ｂビル，Ｃスタジアム，Ｄタワーの中心位置は、それぞれ、緯度Ｂ，Ｃ，Ｄである。なお、これらの緯度，経度の単位は、ともに、゜（度），'（分），"（秒）であり、以下の説明でも同様である。
【００９３】
そして、ユーザがＡビルの３階において、例えばサービス１を受けるため、携帯端末１１を用いて位置情報を取得し送信する。
図６は第１実施形態に係るバブルデータの空間占有情報のイメージ（情報バブル）を示す図であって、この図６に示す情報バブル１〜１７は、図５に示すＡ〜Ｄの建物に相当するイメージを表している。これらの情報バブル１〜１７は、いずれも、物体の緯度，経度，高度およびバブル径からなる空間占有情報と、この物体に関連する各種情報またはその各種情報に関連するＵＲＬなどの情報とが対応づけられている。
【００９４】
ここで、情報バブル１，５，８，９は、それぞれ、Ａビル，Ｂビル，Ｃスタジアム，Ｄタワーを表す。そして、建物の大きさを含む空間占有情報に応じて、情報バブルが生成されるのである。また、情報バブル１は、その内部に、情報バブル２，３，４を有する。これらの情報バブル２，３，４は、それぞれ、Ａビルの各階のフロアに相当するイメージを表す。
【００９５】
また、図７に示す番号は、図６に示す情報バブルに付された識別番号である。また、緯度／経度／高度／バブル径からなる空間占有情報が、それぞれ、Ａ／Ｘ／０／３で表されている。ここで、Ａ，Ｂはそれぞれ度数である。
また、高度０は建物が地面に接している場合を表し、高度１，２，３はいずれも真値（例えば１５ｍ，３０ｍ，４５ｍ）に対応した値を表している。地下の店舗などについては、高度は、マイナスの値を用いて表されるようになっている。
【００９６】
図８は第１実施形態に係る他のバブルデータを説明するための図であって、この図８に示すように、空間占有情報は、真値を保持するようにもできる。また、図８に示すＵＲＬまたはＵＲＬに対応するコンテンツ名称（例えばＡビル，Ｃスタジアム）が、携帯端末１１に対して送信され、ユーザがそのＵＲＬまたはコンテンツ名称をクリックするとコンテンツが表示される。コンテンツ名称を表示させるためには、予めＵＲＬに対応づけてコンテンツ名称を登録しておくことにより可能となる。
【００９７】
なお、この図８においても、バブル番号を用いることによって、各サービス情報をユニークに識別できるようになる。
また、バブル径（図７，図８参照）は、情報バブルが球形のときの半径を表す。情報バブルが楕円球のときはその長径および短径を表し、それぞれに対応する値を設定する必要がある。さらに、情報バブルが建物の容積に則した四角柱の形状のときはその四角柱の幅などを表す。なお、図７，図８におけるバブル径１，２，３はともに、真値に対応した値を表す。このほかに、情報バブルとして円柱形状とすることもできる。
【００９８】
図９（ａ）〜（ｈ）はいずれも第１実施形態に係る建物データの一例を示す図であり、これらの図に示される（Ａ，Ｂ，Ｃ）は、情報バブルの中心位置である。情報バブルのどの位置を中心位置に設定するかは、任意に決めて統一して使用すればよい。
図９（ａ）は四角柱であり、中心位置は底面の中心である。この図９（ａ）に示すＤ，ＥおよびＦは、それぞれ、緯度幅，経度幅，高度幅を表し、例えば、２０ｍ，２０ｍ，１０ｍという値である。そして、これらの幅が、予め、データベース１５に保持され、情報バブルを生成するときに考慮されるのである。
【００９９】
例えば（ｘ，ｙ，ｚ）座標において、原点（０，０，０）を通る検索ベクトルＶは、（ｘ，ｙ，ｚ）＝（０，０，０）＋（Ｖ1，Ｖ2，Ｖ3）で表される。ここで、Ｖ1，Ｖ2，Ｖ3は、それぞれ、方向ベクトルのｘ，ｙ，ｚ成分である。そして、この検索ベクトルＶが、上記立体幅内において交差するかが計算されるのである。
図９（ｂ）は球であり、中心位置は球の中心である。そして、情報バブルの検索に当たっては、携帯端末１１の緯度，経度，高度を座標原点として、球を表す式と検索ベクトルＶを表す式とを用いて、交差点の有無が検出される。
【０１００】
例えば原点（０，０，０）を中心位置とする半径Ｒの球は、ｘ2＋ｙ2＋ｚ2＝Ｒ2で表される。そして、検索ベクトルＶの式と球の式とを用いて、交差点が計算されるのである。
図９（ｃ）は楕円球であり、中心位置は楕円球の中心である。原点（０，０，０）を中心位置とする長軸ａ，短軸ｂの楕円球は、（ｘ／ｂ）2＋（ｙ／ｂ）2＋（ｚ／ａ）2＝１
で表される。
【０１０１】
加えて、図９（ｄ）に示す例では球の最下点が中心位置であり、図９（ｅ）に示す例では楕円球の最下点が中心位置であり、図９（ｆ）に示す例では球の最上点が中心位置であり、図９（ｇ）に示す例では楕円球の最上点が中心位置である。
図９（ｈ）は円柱であり、中心位置は底面の中心である。また、原点（０，０，０）を中心位置とし半径Ｒで高さＨの円柱は、ｘ2＋ｙ2＝Ｒ2かつ（０≦ｚ≦Ｈ）で表される。
【０１０２】
また、サービスセンタ１９が表示する情報バブルの範囲については、契約料などによって、種々変更できる。個人で登録する場合は、基本的に、半径５ｍ以内の情報バブルである。
具体的には、図９（ｂ）〜図９（ｇ）に示す球または楕円球の半径や長軸，短軸の大きさを変化させるのである。また、例えば、図９（ａ）に示す四角柱の空間占有情報は、閉じた領域のみならず、緯度Ｅと付された辺に平行な方向の広い範囲の領域に設定することもできる。加えて、一例として、図９（ｈ）に示す円柱の空間占有情報についても、ｚ方向の中心位置よりも上側に無限大に設定するようにもできる。
【０１０３】
これにより、Ａビル（図５，図６参照）内の企業は、自社のサービス内容を紹介するための自社ホームページのＵＲＬを、例えば自社ビルの空間占有情報と対応づけてバブルデータに登録する。すなわち、Ａビル全体が、情報バブル１として登録され、また、Ａビル内の１階の３店舗と、２階の２店舗と、３階の１店舗とが、それぞれ、情報バブル１０〜１５として、登録されるのである。
【０１０４】
従って、企業の広告や、レストランのメニューおよび評判などが、予めバブルデータとして登録され、そして、ユーザは、検索タグとして、携帯端末１１を用いて位置情報を送信する。
これにより、ユーザは、遠くのレストランのメニューなどを簡単に得ることができる。また、これにより、ユーザは、ビルの外側からもそのビルに入っている店舗のサービス情報などを簡単に知ることができるようになる。
【０１０５】
このように、ユーザは携帯端末１１を向けるだけで、サービス１を受け、複数のバブルデータから各種のサービス情報を入手できる。
また、サービス２についても、ユーザは、指定したＢビルにあるレストラン登録のサービス情報を得ることができる。
従って、ユーザは、インターネット１２における検索サービスのようなデジタル的な処理をせずに、人間感覚を基本にしたアナログ的な感覚により検索でき、ユーザは、自分が見える範囲内の店舗に関する情報を簡単に得ることができる。すなわち、ユーザは、「この場所」や「あの場所」といったアナログ的な感覚により、所望のサービス情報を得ることができる。
【０１０６】
また、レストランの店主などは、雑誌などの広告をせずに、店舗の空間占有情報とＵＲＬとをサービスセンタ１９にバブルデータとして登録することにより、ユーザに対して直接、自店舗のサービス情報を提供できるようになる。
そして、このように、情報が公開されるので、ユーザは、ユーザが見える対象物に関する情報を、非常に簡単にかつ早く取り出すことが可能となる。
【０１０７】
上述の構成により、情報提供サービスシステムにおけるバブルデータの登録動作について、さらに、図１０〜図１３を参照して詳述する。
図１０は第１実施形態に係る情報提供サービスシステムへの登録を説明するためのシーケンスを示す図であり、携帯端末１１とサービスセンタ１９との間において送受信されるデータが模式的に表示されている。また、ユーザが携帯端末１１の位置情報を用いて登録する場合の例である。
【０１０８】
まず、この図１０に示すステップＰ１にて、ユーザは、携帯端末１１に表示される複数のメニューの中から（４）（図中では丸付き数字で示す）を選択して、位置登録（メッセージ位置登録）を開始し、携帯端末１１が上記のセンサ群を用いて、端末の緯度，経度，高度を有する位置情報を測定する。
次に、ステップＰ２にて、携帯端末１１は、測定された位置情報と端末識別情報とをサービスセンタ１９に送信する。
【０１０９】
サービスセンタ１９は、そのデータを受信すると（ステップＰ３）、携帯端末１１に対して利用規約などを送信する（ステップＰ４）。この規約は、有料サービスを受けるのか、または、無料サービスでよいのかをユーザに選択させるものである。例えば、ユーザは、大きなバブル径（例えば５ｍ以上）かまたは小さなバブル径（５ｍ以下）にするかについて選択する。
【０１１０】
ここで、ステップＰ５にて、ユーザが広告効果を期待して、大きなバブルを選択すると、（２）（図中では丸付き数字で示す）と付されたルートを通り、携帯端末１１には、具体的な登録に必要なパラメータが表示される（ステップＰ９）。これに対して、ユーザが小さなバブルを選択すると、（１）（図中では丸付き数字で示す）と付されたルートを通り、携帯端末１１には、メッセージの入力が促される（ステップＰ６）。
【０１１１】
そして、ステップＰ７にて、ユーザがその入力を終了すると、そのメッセージは、サービスセンタ１９に送信されて、サービスセンタ１９は、送信された位置情報と検索対象物とに関する情報をそれぞれデータベース１５に書き込む。ここで、サービスセンタ１９は、３次元空間における物体の緯度，経度，高度およびバブル径からなる空間占有情報をＵＲＬに変換し、このＵＲＬをｗｅｂサーバ１３ｂのＵＲＬ生成部５５に書き込む。また、サービスセンタ１９は、リンクさせたいホームページＵＲＬをデータベース１５に書き込む。
【０１１２】
そして、携帯端末１１には、登録完了の旨が表示される（ステップＰ８）。なお、この登録は、専用のアプリケーションが用いられている。
このように、企業または個人のユーザの登録により、バブルデータが生成される。
また、このように、ユーザは、パソコン（図示省略）を用いて、インターネット１２を介してサービスセンタ１９にアクセスし、バブルデータを登録することもできる。
【０１１３】
図１１は第１実施形態に係るバブルデータの料金体系を説明するための図である。この図１１に示す料金体系は、システム運用者と、システム９を利用して広告するものとの間にて契約されるものである。具体的には、バブル径が小さいもの（５ｍ）は、低い料金に設定され、また、バブル径が大きいもの（１００ｍ）は、高い料金に設定される。あるいは、掲載期間により料金を設定することもできる。
【０１１４】
従って、ユーザが例えば東京タワーについて、サービス情報を登録したい場合は、携帯端末１１によらず、パソコンから登録できるようになる。
また、システム運用者は、ユーザの利便性のため、東京タワーなどの有名な建物や、公共施設などを、予め、それらの建物の大きさに合わせた大きさを有する情報バブルおよび基本情報を設定しておくこともできる。
【０１１５】
このように、ユーザの視界に入る建物について、人間感覚を基本にして、アナログ的な感覚によりユーザが関心のあるものを簡単に検索できる。従って、ユーザは、自分が指定した方向に位置する建物（造形物，自然物）に関する情報を得ることができる。
そして、このように、ユーザは、携帯端末１１を所望の方向に向け、その端末位置から１００ｍの範囲にあるビルに関する情報を入手できる。また、ユーザは、携帯端末１１を目の前にあるビルに向け、そのビル内の店舗が販売している商品情報などを得ることができる。
【０１１６】
このように、広告主は、携帯端末１１を持つユーザに対して広告することができ、また、サービスセンタ１９の運用者は、広告料金を得てサービスを提供できる。さらに、ユーザは自由にかつ簡単にサービス情報を得られる。
また、このようにして、広告主、サービス運用者およびユーザの三者がいずれも利益を得ることができる。
【０１１７】
ところで、上記情報提供サービスの変形サービスとして、サービスセンタ１９と携帯端末１１またはパソコンとの間のデータを、メールにより送受信するようにもできる。ここで、メールサーバ１３ｄ（図３参照），メール送受信部１８ｄ（図２参照）は、いずれも、緯度，経度，高度およびバブル径とメールアドレスとを対応づける機能（ＧＰＳマッピング対応機能）を有する。
【０１１８】
換言すれば、ＵＲＬのリンク先がメールデータを表しているのである。
また、レストランの店主は、自分で、例えば飲食物などのサービス情報を、バブルデータにリンクさせて登録でき、これにより、店主は、一般のユーザに対して店舗の宣伝が可能となる。従って、企業は、ユーザに対し、意見などの宛先としてそのメールアドレスを示すので、そのメールアドレスに対応したバブルデータが利用される。
【０１１９】
また、第１実施形態のシステムにおけるメールを用いた情報提供サービス方法について、図１２，図１３を参照して詳述する。
図１２は第１実施形態に係る情報提供サービスシステムへの登録を説明するためのシーケンスを示す図であり、メールを用いて登録される例が示されている。
まず、携帯端末１１は入力画面を表示し（ステップＡ１）、ユーザが、その画面からアドレスを選択すると、そのアドレスの入力画面に切り換わる（ステップＡ２）。ステップＡ３にて、ユーザが「空間にメッセージをマッピングする」を選択すると、携帯端末１１は、位置情報を取得して、メールアドレスに変換する。
【０１２０】
そして、ユーザは、メッセージを入力して（ステップＡ４）、そのメールをサービスセンタ１９に送信する。サービスセンタ１９がそのメールデータを受信すると（ステップＡ５）、バブル径などは最小値を選択して（ステップＡ６）、ｗｅｂサーバ（ＧＰＳＷＥＢサーバ）１３ｂまたはｗｅｂ情報出力部１８ｂのデータベース１５に書き込む（ステップＡ７）。
【０１２１】
図１３は第１実施形態に係る情報提供サービスを説明するためのシーケンスを示す図であり、携帯端末１１とメールサーバ（ＧＰＳマッピング対応メールサーバ）１３ｄとｗｅｂサーバ（ＧＰＳＷＥＢサーバ）１３ｂとの間におけるデータの送受信が示されている。
まず、ステップＡ１０にて、ユーザ（例えば企業の担当者）が、東京のＦ社の本社前に、Ｆ社の企業プロファイルのバブルデータを設定する。このバブルデータが設定される位置は、東経１３９゜４６'０１.４"で、北緯３５゜４０'４６．１"で、高度１５ｍで、バ
ブル径１００ｍである。そして、ユーザは、この企業プロファイルに対応して、メールアドレスを設ける。このアドレスは、例えばE13946014N3540461H1500B10000@gps.nifty.ne.jpとする。そして、ユーザは、このアドレスに宛てて、検索条件と企業プロファイルとをメールする。
【０１２２】
ステップＡ１１にて、メールサーバ１３ｄは、上記の検索条件と企業プロファイルとを受信して、検索を開始し、その添付ファイルは企業プロファイルとしてｗｅｂサーバ１３ｂ（ＷＥＢ）に登録される。
ここで、例えば、バブル径が大きく設定されたバブルデータは検索されやすいが、バブル径が小さく設定されたバブルデータは検索されにくくなる。そのため、秘匿したい情報を有するバブルデータのバブル径は小さく、また、企業プロファイルなどのできるだけ多くのユーザに宣伝したい情報を有するバブルデータのバブル径は大きく設定するようにもできる。
【０１２３】
これにより、ユーザが所定の範囲を示す値をメールアドレスとして、送信し、その範囲にある空間占有情報を含むバブルデータが、検索される。
また、このように、位置という検索タグが使用でき、ユーザは簡単にかつ早く情報を得ることが可能になる。
（Ｂ）第２実施形態の説明
第１実施形態においては、ユーザが、主に携帯端末１１を用いて、移動中にバブルデータを検索して建物に関する情報を得る態様であった。第２実施形態においては、ユーザは、移動中および家庭などにおいて、主にパソコンを用いて、そのパソコンに表示された市街地のビルの配置などの地図に、情報バブルを重ね合わせる（重合する，マッピングする）サービス（以下、マッピングサービスと称することがある。）を提供される態様である。
【０１２４】
図１４は第２実施形態に係る情報提供システムの構成図である。この図１４に示すシステム９ａは、地図を表示しうるパソコン５８，携帯端末１１またはＰＤＡ３２のようなユーザ端末に対して情報を提供するシステムであって、サービスセンタ（サーバ）１９ａと、複数の携帯端末１１と複数のＰＤＡ３２と複数のパーソナルコンピュータ（Personal Computer：ＰＣ  以下、パソコンと略称することがある。）５８とをそなえるほか、無線基地局１０ａ，無線ネットワーク１０，ゲートウェイサーバ１３ａ，インターネット１２，ｗｅｂサーバ１３ｂ，ＤＮＳサーバ１３ｃなどが接続されている。これらのもので、上述したものと同一の符号を有するものは同一のものまたは同様の機能を有するものであり、更なる説明を省略する。
【０１２５】
ここで、サービスセンタ１９ａは、物体に関連する各種情報またはその各種情報に関連するサービス情報の属性を表す属性情報と複数のタグからなるＤＴＤ情報とを有するホームページ（情報文書）のうちＤＴＤ情報を有するＳＧＭＬまたはＸＭＬで記述されたホームページについて、３次元空間における空間占有情報（物体の緯度，経度，高度およびバブル径からなる空間範囲情報または空間領域情報）とサービス情報を得るための検索情報（アドレス情報，ＵＲＬ）とを対応づけられたバブルデータとして保持するサーバである。
【０１２６】
この物体とは、例えば建物，建物の各フロア，看板など現実に存在する物または空間を移動する物である。また、ＤＴＤ（文書型定義）情報とは、ＳＧＭＬに従って記述したときのホームページファイルに記述されるタグに相当するものであって、バブルデータとしてのコンテンツであることをｗｅｂサーバ１３ｂに認識させるための索引として機能するものである。さらに、検索情報は、ユーザが所望のバブルデータを検索するためのアドレス情報であって、具体的にはＵＲＬが用いられている。
【０１２７】
また、携帯端末１１，ＰＤＡ３２またはパソコン５８は、それぞれ、サービスセンタ１９ａとインターネット１２を介して接続されバブルデータを用いて検索された各種情報を表示するものである。すなわち、これらは、いずれも、ユーザ端末として機能している。
さらに、システム９ａは、マッピングサービスに付随するサービスとして、次の（３）〜（７）に示すサービスを提供できるようになっている。
【０１２８】
（３）バブルデータに対するアクセス度合いまたは時間，季節などに応じて、ユーザのパソコンに表示される情報バブルのバブル径を動的に変動させ、地図の尺度に応じた径を有する動的バブル径（相似バブル径）をユーザ端末に対して提供するサービス。
（４）特定のバブルデータが所定回数アクセスされると、そのバブルデータのホームページファイルを消滅させたり、そのホームページへのアクセスを制限（例えば禁止）するサービス。
【０１２９】
（５）ＵＲＬの代わりに、ＪＡＶＡ（登録商標）プログラムなどのアプリケーションを起動させるサービス。すなわち、サービスセンタ１９ａが、ユーザの位置情報とそれに付随する属性情報とをフィルタリングして検索するサービス。
（６）企業などのバブルデータに対しては、例えば、「先着１００名までのホームページにアクセスしたお客様」までのアクセスしか許可しないといった制限を設定するサービス。
【０１３０】
（７）ユーザが予め通信希望相手を「女性」，「何歳まで」などと登録しておき、サービスセンタ１９ａが、相互に設定された条件に合致するバブルデータが近づいたことを検出すると、その旨をバブルデータの所有者に通知するサービス。
なお、これらの（３）〜（７）に示すサービスは、以下、それぞれ、サービス３〜７と称することがある。また、これらのサービス提供に当たり、サービスセンタ１９ａは、ユーザに特定のバブル番号（図７，図８参照）を指定して表示させることもできるようになっている。
【０１３１】
ここで、パソコン５８は、キーボード，マウス（図示省略）を設け、インターネット１２における通信機能と、地図を表示する地図表示機能とを有するほかに、ワープロ，図表作成などの種々のアプリケーションプログラム（以下、アプリケーションと略称することがある。）を実行する機能をも有する。また、このパソコン５８は、例えばデスクトップ型またはノート型のものであり、固定環境およびモバイル環境としてのいずれにおいても使用できるものである。
【０１３２】
ここで、固定機器として用いられる場合の通信機能については、パソコン５８は、企業などに設けられたときは、ＬＡＮを介してインターネット１２に接続し、また、家庭などの個人的な場所に設けられたときは、図示を省略するが、モデムやＤＳＵを用いて、インターネットプロバイダにダイアルアップ接続してインターネット１２とのデータを送受信できるようになっている。
【０１３３】
図１５は第２実施形態に係るパソコン５８のブロック図である。この図１５に示すパソコン５８は、地図を表示しうるユーザ端末に対して情報を提供するシステム９ａにおけるものである。このパソコン５８は、受信部５８ａ，ＲＡＭ５８ｂ，地図情報保持部（地図情報出力部）５８ｃ，送信部５８ｄ，ハードディスク（マッピングデータ保持部）５８ｅ，マッピング部５８ｆ，表示部５８ｇをそなえて構成されている。また、パソコン５８は、インターフェース部５９と接続され、インターネット１２とデータを送受信できるようになっている。
【０１３４】
このインターフェース部５９は、モデムまたはＬＡＮであり、家庭の個人ユーザは、ダイアルアップ接続を用いて、パソコン５８からインターフェース部５９（モデム）を介し、アクセスプロバイダ（図示省略）に接続して、インターネット１２に接続する。また、企業などにおけるユーザは、その企業などに設けられたインターフェース部５９（ＬＡＮ）とプロキシーサーバ（図示省略）とを介して、インターネット１２に接続する。
【０１３５】
次に、地図情報保持部５８ｃは、地図情報を出力するものであって、この機能は、ハードディスクにより実現される。この地図情報は、３次元空間における物体（建物や例えば山のような自然物）の地図情報であり、建物を立体的に描いたものや、その建物を簡略化して描いたものである。加えて、地図情報は、その建物に関する情報に付随する文字，記号などをも含む。この地図情報は、地図アプリケーションのインストールによって、ハードディスクなどに記憶されたライブラリ（具体的には、地図を表示するためのディジタルデータ）から読み込まれるようになっている。ここで、ユーザは、パソコン５８に予めインストールした地図アプリケーションを用いて、バブルデータを利用するのである。
【０１３６】
また、地図情報出力部５８ｃは、イメージデータとして、種々の形式のイメージファイルやベクトルファイルを出力することができ、例えば、ＧＩＦ（Graphics Interchange Format）形式などのファイルを出力できる。従って、システム９ａは、ＧＩＦなどでサポートされたビジュアルデータを地図にマッピングでき、情報バブルをビジュアル化することができる。
【０１３７】
これにより、ユーザは、上記マッピングサービスとして、自分が表示させた地図情報にサービスセンタ１９ａから受信したバブルデータをマッピングさせることができる。加えて、携帯端末１１などの使用時において、表示制限される不都合が解消され、きめ細かい画面で見ることができる。一方、モバイル機器として用いられる場合の通信機能は、パソコン５８に携帯電話機，ＰＨＳ（Personal Handy-phone System）電話機などを接続して無線送受信できるようにしている。
【０１３８】
この地図アプリケーションは、３次元空間における建物の配置などを表示部５８ｇに表示または再現できるものである。そして、ユーザは、表示を希望する住所、範囲などを、表示部５８ｇに表示される指示に従い入力し、また、視点の高度または角度などについて入力できるようにもなっている。
これにより、システム運用者は、ユーザがどのような地図アプリケーションを用いても、情報バブルを適切に表示させることができ、通信キャリアへの加入を促進できる。また、サービスセンタ１９ａは、同一の空間占有情報と同一のＵＲＬとを有するバブルデータについて、バブル番号を用いて識別できるように保持し、ユーザに対して、その識別された特定のバブル番号を指定して送信することができ、ユーザはパソコン５８に特定のバブル番号を指定して表示することもできる。
【０１３９】
なお、地図情報保持部５８ｃの代わりに、インターネット１２に接続された他のデータベースに保持された地図情報を表示することもでき、その場合は、地図情報は一旦、ＲＡＭ５８ｂに保持されてから、地図情報が出力されるようにしている。加えて、ユーザは、地図情報保持部５８ｃをパソコン５８に接続する代わりに、インターネット１２から地図情報に相当するデータをダウンロードし、そのダウンロードしたデータを、ハードディスク，フロッピー（登録商標）ディスク，ＣＤ−Ｒ，ＣＤ−ＲＷ，ＭＯなどに保存して使用するようにもできる。
【０１４０】
そして、表示部５８ｇは、地図情報保持部５８ｃから出力された地図情報に基づいて対象の画像を画面に表示するものであり、この機能は、ディスプレイにより実現される。また、対象の画像は、物体の画像であり、建物のほかに自然物のような対象の画像をも表示するようになっている。すなわち、表示部５８ｇは、画面に、建物（ビル）、体育館およびタワーなどの種々の物体のほかに、情報バブルをも表示するようになっている。
【０１４１】
次に、送信部５８ｄは、表示部５８ｇに表示された対象の３次元空間における座標情報と対象の提供するサービス情報の属性を表す表示対象属性情報とを有するマッピング要求を、パソコン５８とインターネット１２を介して接続されたサービスセンタ（サーバ）１９ａに対して送信するものである。この機能は、例えばＣＰＵ，ＲＯＭ，ＲＡＭ，モデム，ＬＡＮカードおよびＬＡＮなどにより実現される。ここで、対象の３次元空間における座標情報とは、物体（建物，自然物など）の３次元空間における緯度，経度，高度およびバブル径からなる座標情報である。また、表示対象属性情報とは、物体（建物，自然物など）に関連する施設情報またはその施設情報のサービス情報の属性を表す情報である。
【０１４２】
さらに、受信部５８ａは、そのマッピング要求についてサービスセンタ１９ａが通知した、座標情報に対応する３次元空間における空間占有情報（建物，自然物の緯度，経度，高度およびバブル径からなる空間範囲情報，空間領域情報）とサービス情報を得るためのＵＲＬとを有するマッピング応答を受信するものである。これらの受信部５８ａと送信部５８ｂとの機能は、いずれも、ＣＰＵ，ＲＯＭ，ＲＡＭ，モデム，ＬＡＮカードおよびＬＡＮなどにより実現される。
【０１４３】
加えて、この受信部５８ａは、マッピング要求が有する座標情報に基づき、表示部５８ｇが表示する地図の尺度に応じた径を有する動的バブル径を含む空間占有情報とＵＲＬとを有するマッピング応答を受信するようになっている。すなわち、受信部５８ａは、ネットワーク１２から、情報を得ることができるのである。
これにより、パソコン５８に表示される情報バブルの表示部５８ｇにおける占有面積は、バブル径と地図の尺度とに基づいて決定され、ユーザは、バブルデータをビジュアル化された状態にて得ることができる。
【０１４４】
加えて、マッピング部５８ｆは、ハードディスク５８ｅに保持されたイメージ形状とマッピング応答に含まれるＵＲＬとを読み出して、その内容を表示部５８ｇに表示するものである。この機能は、ＣＰＵ，ＲＯＭ，ＲＡＭのほかに、ディスプレイドライバにより実現される。
さらに、ハードディスク５８ｅは、マッピング部５８ｆにより表示されるイメージ形状（情報バブルのイメージ形状）とマッピング応答に含まれるＵＲＬとを関連づけて保持するものであって、マッピングデータ保持部として機能している。また、ハードディスク５８ｅは、マッピング部５８ｆにより表示されるイメージ形状（情報バブルのイメージ形状）とマッピング応答に含まれるＵＲＬとを関連づけて保持するようになっている。
【０１４５】
これにより、マッピング部５８ｆと地図情報保持部５８ｃとによって、表示部５８ｇに情報バブルが表示される。そして、この地図情報保持部５８ｃを用いることによって、サービスセンタ１９ａと携帯端末１１またはパソコン５８との間において送受信に必要なデータ量が減少するので、ユーザはストレスを感じずに、地図を見ることができる。システム運用者も、加入者の数を減少させないで、事業を継続することができる。
【０１４６】
図１９は第２実施形態に係る画像の一例を示す図であり、具体的には、ユーザが地図アプリケーションを起動した直後のものである。この初期画面には、ユーザの自宅近辺の建物地図や、勤務先周辺の建物地図が表示され、設定により変更できるようになっている。この図１９に示す表示部５８ｇは、画像１００とアイコン群５７とを表示するようになっている。ここで、画像１００は、建物を３次元的に表したものであり、パソコン５８が、地図アプリケーションに予め登録されているグラフィックデータ（地図データ）を読み込んで表示されているのである。
【０１４７】
また、アイコン群５７は、画像１００の表示についての操作用のアイコンであり、複数のアイコン５７ａ〜５７ｃからなる。ここで、アイコン５７ａは、ユーザによってパソコン５８から、インターネット１２に接続された検索ロボット（検索エンジン）に対して検索要求を送信するためのものであり、アイコン５７ｂ，５７ｃは、ともに、ユーザの検索範囲に関する具体的条件を入力するものである。例えばアイコン５７ｂは検索範囲用であり、アイコン５７ｃは、それ以外の条件入力用である。さらに、バブル番号（図７，図８参照）を入力するためにもこれらのアイコンが割り当てられるようになっている。
【０１４８】
そして、ユーザは、画像内の所定範囲を表示され、その所定範囲のうちの基準点（後述する図２５参照）に基づいて、アイコン群５７を用いて、画面の縦方向と横方向との範囲を指定する。この指定された画像範囲（緯度，経度の範囲）は、地図アプリケーションによって、縮尺と画面の大きさとに基づいて計算され、その計算されたデータが、パソコン５８からサービスセンタ１９ａに対して送信されるのである。
【０１４９】
そして、サービスセンタ１９ａは、送信された画像範囲に関するデータに基づいて、データベース１５ａに保持された多数のホームページファイルのうち、ＤＴＤ情報として、「バブルデータ」であることを示す＜ｂｕｂｂｌｅ＞というタグが記述されているものを検索するのである。この検索によりヒットしたホームページファイルだけが選択され、その選択されたホームページファイルのＵＲＬが、ユーザに対して送信されるようになっている。
【０１５０】
これにより、ユーザ側において、建物の配置に情報バブルが重なって表示されるのである。すなわち、建物だけの地図に、情報バブルがマッピングされ、また、地図内の建物にリンクが張られ、ユーザは、そのリンク部分をクリックすることにより、現在のコンテンツを得ることができる。従って、ユーザは、画像に表示されている建物が、どのような店舗、施設などを有しているかについての情報を得ることができるのである。
【０１５１】
図２０は第２実施形態に係るマッピングされた画像の一例を示す図である。この図２０に示す画像１００は、地図アプリケーションにより表示された建物のほかに、情報バブル（球形のもの）１〜１１が表示されている。これらの情報バブル１〜１１は、いずれも、元の建物の表示と重なり合って表示されるようになっている。従って、システム運用者は、ユーザに対して、サービス情報を地図情報とリンクした形でユーザに提供することができる。
【０１５２】
ここで、画像１００は、ユーザの設定によって、その表示の大きさを自由に変化させることができるようになっている。また、情報バブル１〜１１は、いずれも、物体の緯度，経度，高度およびバブル径からなる空間占有情報と、この物体に関連する各種情報またはその各種情報に関連するＵＲＬなどの情報とが対応づけられたものである。具体的には、情報バブル１〜１１は、いずれも、地図アプリケーションにマッピングされた建物に相当するバブルイメージを表している。また、ユーザはパソコン５８に特定のバブル番号を指定して表示することもできる。
【０１５３】
これにより、レストランの店主など、ｗｅｂサーバ１３ｂに自店舗のコンテンツを記載したホームページを登録することができ、また、ユーザは、検索によりヒットしたバブルデータのすべてについて、情報バブルとして見ることができる。また、そのコンテンツを有するバブルデータは、平等に画面に表示されるので、ユーザは、すべてのバブルデータを得られるようになる。
【０１５４】
なお、サービスセンタ１９ａから送信されるデータは、ｗｅｂロボット６１ａ（図１６参照）によって作成されたものであって、システム運用者がバブルデータと地図情報とをリンクさせて作成したデータではない。すなわち、情報バブル１〜１１は、データベース１５ａ（図１６参照）にて、ホームページファイルに記述されたタグの中から＜ｂｕｂｂｌｅ＞というタグを有するものを検索することにより、抽出されたバブルデータに基づいて生成されたものである。
【０１５５】
この情報バブルの大小は、画面における大きさと、バブルデータから引き継がれている位置情報とに基づいて変化するようになっている。また、ユーザが画像１００の表示の大きさを、例えばアイコン５７ａにより大きくすると、その縮尺に応じて情報バブルのバブル径が大きくされ、建物の画像と重ね合わせたときに適当な大きさになるように設定されるのである。
【０１５６】
なお、情報バブルの形状は、球形のみならず、楕円形にすることもできる。また、縮尺については、後述する状態ファイルによって実現されるようになっている。
そして、ユーザが、この情報バブル１〜１１をマウス（図示省略）などによりクリックすると、パソコン５８が、サービスセンタ１９ａから同時に受信しているＵＲＬに基づいてブラウザプログラムが起動され、その情報バブル１〜１１のホームページが、表示されるのである。従って、ユーザは、各種情報などを得るために、建物の大きさや配置などが再現された画像に表示される情報バブルをクリックするだけで、所望のサービス情報を得ることができる。
【０１５７】
図１９，図２０にそれぞれ示す情報バブルは、いずれも、建物と重なっているが、建物や他の情報バブルと重ならないように表示することもできる。すなわち、建物の外側に情報バブルを表示し、この情報バブルと、建物の中の店舗との間が、吹き出し線を用いて連結するようにもできる。従って、建物の影を消滅させないように表示されることも可能となる。また、ユーザがサービスセンタ１９ａから、所望の情報をダウンロードするときに、バブル径を用いて表す代わりに、指定された画像１００をバブル径に応じて変化させて表示することも可能である。
【０１５８】
さらに、情報バブルが建物と重なっている場合は、重なった面の上下について、上面バブルを選択した場合に、吹き出しなどにより隠れているバブルを表示することが可能である。また、ＧＩＦアニメーションなどによる動きのある表示も可能である。
図２１は第２実施形態に係るバブルデータの表示の他の一例を示す図である。この図２１に示す画像１００には、情報バブル２１〜２５が表示されている。これらの情報バブル２１〜２５は、それぞれ、企業を特定できるロゴや商標を用いて表示されるようになっている。また、このロゴなどは、動くアニメーションを用いることもできる。
【０１５９】
なお、この図２１に示すもので、図２０に示すものと同一の符号を有するものは同一のものは、同様の機能を有するものなので、更なる説明を省略する。
このように、建物の大きさを含む空間占有情報が、情報バブルのバブル径により表される。また、バブル径の大きさは、地図の尺度に連係しているので、ユーザは、最適な大きさで画像表示を得ることができる。
【０１６０】
また、このように、企業などは、ユーザに対してビジュアル性に優れたサービスを提供できる。換言すれば、バブルデータは、ユーザに対して、よりビジュアル的に表示されるのである。加えて、企業などは、より効率的に広告することができる。
なお、料金に関し、例えば地図情報のみを提供する企業などは、単に、ユーザのサービス情報を画像１００に表示させるだけであれば、そのユーザに対して、有料とすることが考えられる。すなわち、システム運用者は、画像１００に、ユーザのサービス情報を掲載するための手数料を徴収するようにもできる。
【０１６１】
これにより、システム運用者は、ｗｅｂロボット６１ａが、検索によりヒットしたものをすべて画像１００に重合するので、ユーザはサービス情報を画像１００に無料で表示させることができる。
このようにして、ユーザは、ビジュアル的に、地図情報を得ることができる。従って、ユーザは、例えば雑誌などを購入して、各繁華街の店舗などの情報を調べたり、あるいは、インターネットを用いて同様な検索をする必要がなくなる。
【０１６２】
このマッピング方法を、図１８を用いて説明する。
図１８は第２実施形態に係る地図情報のマッピング方法を説明するための送受信シーケンス例を示す図である。情報提供サービス方法は、地図を表示しうるパソコン５８に対して情報を提供するシステム９ａにおけるものである。
まず、パソコン５８にて地図アプリケーションが起動される（ステップＷ１）。そして、そのユーザの自宅近辺の建物地図などが、初期画面として表示される。そして、画面には、アイコン群５７や数値入力用のダイアログボックス（図示省略）が表示されるようになっており、ユーザは、それらのアイコン群５７などに、検索したい地域または特定のバブル番号を入力するのである。そして、ユーザは、所望の地域や建物に関するサービス情報の情報バブルを見ることができる。
【０１６３】
次に、ユーザは、表示したい地域について、所定のアイコンなどをクリックする。ここで、ステップＷ２において、パソコン５８は、表示された地図情報から物体を選択する（選択ステップ）。具体的には、パソコン５８は、ユーザによって選択された物体に関する座標情報、範囲情報を抽出する。
さらに、マッピング要求（Ｗ３と付したもの）として、パソコン５８は、選択ステップにて選択した物体に関する座標情報と物体が提供するサービス情報の属性を表す表示対象属性情報とを、それぞれ、パソコン５８とインターネット１２を介して接続されたサーバに対して送信する（ユーザ端末送信ステップ）。
【０１６４】
ここで、検索サーバ６１ａは、送信されたデータに基づいて、＜ｂｕｂｂｌｅ＞タグを検索して、複数のバブルデータを抽出する。
そして、マッピング応答（Ｗ４と付したもの）として、サービスセンタ１９ａが、ユーザ端末送信ステップにて送信された座標情報および表示対象属性情報に基づいて、空間占有情報，属性情報およびＵＲＬをそれぞれ、パソコン５８に対して送信する（サーバ送信ステップ）。
【０１６５】
続いて、パソコン５８は、サービスセンタ送信ステップにて送信された空間占有情報が示す位置に、情報バブル（イメージ形状）を物体とともに表示部５８ｇに表示する（マッピングステップ）。
最後に、マッピングステップにて表示されたイメージ形状と地図とパソコン５８に対して提供するのである（提供ステップ）。すなわち、パソコン５８は、地図情報に情報バブルをマッピングするのである（ステップＷ５）。
【０１６６】
従って、ユーザは、地図アプリケーションを用いることにより、最新の情報を得ることができ、かつ、ビジュアル性に優れた状態でその情報を得ることができる。さらに、システム運用者（通信キャリア）は、ユーザに対しては、質の高いサービスを提供することができ、また、企業などの顧客に対しては、非常に大きな宣伝効果を図ることができる。
このように、位置情報とＵＲＬとをリンクして保持しているデータベース１５ａを用いて、ユーザは、パソコン５８に予め表示させた地図に、サービスセンタ１９ａに保持されているバブルデータを重ね合わせることができる。
【０１６７】
また、第２実施形態のシステム９ａは、第１実施形態のシステム９に準じたサーバ構成を有し、また、さらなる追加データを用いてサービスを提供するようになっている。すなわち、システム９ａは、電話サービス、サービス１およびサービス２の提供に加えて、ユーザのパソコン５８に、バブルデータを地図表示させるものである。
図１６は第２実施形態に係るサービスセンタのブロック図である。この図１６に示すサービスセンタ１９ａは、地図を表示しうるパソコン５８に対して情報を提供するシステム９ａにおけるものであって、データベース１５ａと、ｗｅｂロボット（検索部）６１ａと、通知部６１ｂ（第１送信部１７）と、更新部６１ｃとをそなえて構成されている。また、この図１６に示す符号で、上述したものと同一の符号を有するものは同一のものまたは同様な機能を有するものであるので、更なる説明を省略する。
【０１６８】
まず、データベース１５ａは、建物に関連する施設情報またはその施設情報のサービス情報の属性を表す属性情報を有するホームページのうち、属性情報に関し複数のタグからなるＤＴＤ情報を有する特定ホームページについて、３次元空間における建物の緯度，経度，高度およびバブル径からなる空間占有情報とサービス情報を得るためのＵＲＬとを対応づけられたバブルデータとして保持するものである。
【０１６９】
そして、データベース１５ａは、ｗｅｂロボット６１ａおよび通知部６１ｂのそれぞれとともに、上記サービス１およびサービス２を提供できるようになっている。バブルデータが保持されることにより、ユーザは例えば建物，建物の各フロア，看板などの検索対象物の情報を簡単に得ることができ、また、ユーザは高額な設備を投資せずにサービス情報を得ることができる
また、データベース１５ａには、更新部６１ｃが設けられている。この更新部６１ｃは、データベース１５ａに保持されたバブルデータを更新するものである。更新部６１ｃが、複数のタグに含まれる中の一つのタグと関連するタグを、書き換え可能なファイルとしてデータベース１５ａに記録するようになっている。
【０１７０】
従って、データベース１５ａが、移動物体を検知するための監視バブルデータと、移動物体の位置情報に基づいて監視バブルデータのバブル径とを保持するとともに、データベース１５ａに保持された状態ファイルに、移動物体を特定しうる移動物体要素を記録するように構成されたことになる。
すなわち、このデータベース１５ａは、バブルデータを保持しているものであって、位置／ＵＲＬ変換データベース１５ａ（データベースサーバ）として機能するようにもなっている。また、この機能は、パソコンやワークステーション（ともに図示省略）により実現され、ハードディスク単体を用いて実現することもできる。これにより、新規な情報が随時更新されて、ユーザおよびレストランなどの店主の両者が、ビジュアル化した情報を提供または得ることができる。
【０１７１】
次に、ｗｅｂロボット６１ａは、パソコン５８から送信された、地図に表示された物体（建物，自然物など）の緯度，経度，高度からなる３次元空間における座標情報と地図に表示された物体に関連する各種情報またはその各種情報に関連するサービス情報の属性を表す表示対象属性情報とを有するマッピング要求に基づいて、バブルデータのうち座標情報および表示対象属性情報を含む特定バブルデータを検索するものである。すなわち、ｗｅｂロボット６１ａは、パソコン５８からのデータに基づいて、＜ｂｕｂｂｌｅ＞タグを有するバブルデータ（図７，図８）を検索して特定バブルデータを出力するのである。
【０１７２】
さらに、ｗｅｂロボット６１ａは、マッピング要求に基づき、インターネット１２に接続された他のデータベース（例えば他のｗｅｂサーバ）から、特定バブルデータを検索するようになっている。従って、ユーザが必要な情報に応じて、地域ごと、国ごとにデータベース化されたデータベース１５ａを検索でき、ユーザはより高いサービスを受けることができる。
【０１７３】
このｗｅｂロボット６１ａは、ロボット型の検索エンジンであって、高速性に優れ、また、コンテンツを、定期的に収集できる。従って、ユーザは、最新かつ大量の情報を収集できる。この機能は、ＣＰＵ，ＲＯＭ，ＲＡＭなどが協働して実現される。
インターネット１２には、多数のｗｅｂサーバが接続されており、ユーザは、それらに保持されたコンテンツの中より必要なコンテンツのみを探し出すために、検索サービスを提供する企業のホームページにアクセスして、そのコンテンツが記載されているホームページを検索する。この検索エンジンは、ユーザが検索したいコンテンツのキーワードを入力することにより、そのキーワードを含むホームページのリンクの一覧が表示されるようになっている。
【０１７４】
このコンテンツ（情報ページ）は、ＨＴＭＬ形式を用いて書かれることが多い。このＨＴＭＬ形式においては、タグの種類が比較的限定されている。従って、そのタグの種類を増加させることによって、ユーザはさらに高度なコンテンツとすることができる。このため、ユーザは、ＨＴＭＬの代わりにＳＧＭＬまたはＸＭＬを用いて記述するようにもできる。
【０１７５】
ここで、ＨＴＭＬは、ＨＴＭＬの上位概念であるＳＧＭＬによって定義されたタグセットのうちの１種類である。また、ＳＧＭＬは、タグの名前の決め方や、文書構造の決め方のルールを意味し、ＤＴＤ情報と、文書で使用する文字コード体系などを指定するためのＳＧＭＬ宣言と、その文字コード体系を使ってＤＴＤ情報で定義されたタグセットに従って記述される文書インスタンスとから構成されている。
【０１７６】
このＤＴＤ情報は、具体的にはホームページファイルに現れるタグ（要素）であり、ユーザがホームページファイルにＤＴＤ情報を記述し、そのホームページファイルをデータベース１５ａに登録する。そして、ｗｅｂロボット６１ａがデータベース１５ａに保持された複数のホームページファイルの中から、ＤＴＤ情報が記述されているものだけを抽出するようになっている。
【０１７７】
従って、このＤＴＤ情報によれば、ｗｅｂロボット６１ａにバブルデータとしてのコンテンツであることを認識させることができる。
なお、ＸＭＬは、文書を記述するためのＳＧＭＬのルールを簡略化したものである。換言すれば、ＸＭＬは、ＳＧＭＬが有する不要な機能を取り除き、処理パフォーマンスを向上させるためのものである。
【０１７８】
このように、ユーザは、ＳＧＭＬまたはＸＭＬを用いて、ホームページファイルを記述し、ｗｅｂロボット６１ａが、そのホームページファイルを読み込んで、文書に出てくるキーワードを、その中のタグにより抽出しデータベース化するのである。また、ホームページの文字列に基づいて索引ファイルを作成するため、ホームページ内の詳細な情報を検索できる。
【０１７９】
続いて、図１６に示す通知部６１ｂは、特定バブルデータの空間占有情報，属性情報およびＵＲＬを有するマッピング応答をパソコン５８に対して通知するものである。この通知部６１ｂの機能も、ＣＰＵ，ＲＯＭ，ＲＡＭなどが協働することによって実現される。また、通知部６１ｂは、第１送信部１７の一部に、設けられているが、第１送信部１７と別個に設けるようにすることもできる。
【０１８０】
そして、通知部６１ｂは、マッピング要求が有する座標情報に基づき、パソコン５８が表示する地図の尺度に応じた径を有する動的バブル径を含む空間占有情報とＵＲＬとを有するマッピング応答を通知するようになっている。加えて、データベース１５ａは、バブルデータを、バブルデータのサービス情報の内容について識別可能な固有番号を関連づけて保持するようになっている。
【０１８１】
これにより、ユーザは自ら表示するバブルデータの大きさに応じて地図を画面に表示できる。従って、これにより、ユーザは、サービス情報を得るためのユーザインターフェースを向上させることができる。
このように、システム運用者は、サービス情報の前提としての登録時において、ビジュアル的にマッピングできる。
【０１８２】
次に、ＤＴＤ情報を用いた具体的な検索の手法について、図２２と図２３（ａ），（ｂ）とを用いて説明する。
図２２は第２実施形態に係るＤＴＤ情報を説明するための図であり、この図２２に示すＤＴＤ情報のイメージ（以下、イメージと略称することがある。）６３は、属性情報に関し複数のタグからなり、＜ｂｕｂｂｌｅ＞，＜ｌａｔｉｔｕｄｅ＞などがタグである。そして、＜ｂｕｂｂｌｅ＞というタグが、検索のためのタグとして機能している。すなわち、ｗｅｂロボット６１ａが、各ホームページの先頭に記述されているタイトル部分を抽出し、＜ｂｏｄｙ＞〜＜／ｂｏｄｙ＞に記載された情報のうちの先頭約３００バイトを抽出し、＜ｂｕｂｂｌｅ＞を抽出するようになっている。なお、＜ｂｏｄｙ＞，＜／ｂｏｄｙ＞は、それぞれ、ホームページファイルの一番先頭，最後に記述されるタグである。
【０１８３】
また、この図２２に示すイメージ６３は、＜ｂｕｂｂｌｅ＞と＜／ｂｕｂｂｌｅ＞との間に、複数の子要素を入れ子にして含むようになっている。ここで、＜ｌａｔｉｔｕｄｅ＞，＜ｌｏｎｇｉｔｕｄｅ＞，＜ａｌｔｉｔｕｄｅ＞，＜ｓｉｚｅ＞などは、いずれも、図２０，図２１に示すような情報バブルとして、表示する位置を決定するためのロケーションタグとして機能している。そして、このイメージ６３の右側には、それらのタグが有する意味を示している。
【０１８４】
これにより、各ユーザは、個人または企業のホームページを、自ら記述したり、あるいは、市販のアプリケーションを用いて作成し、そして、この作成したホームページをｗｅｂサーバ１３ｂに登録する。ここで、ユーザがホームページファイルを作成するときに、コンテンツに対応する部分とともに、「ｂｕｂｂｌｅ」タグを付して、図２２に示す情報を記述して作成する。また、パソコン５８を用いて作成した場合は、その表示部５８ｇに表示された地図を右クリックして、プロバイダに送信するようにもできる。
【０１８５】
また、システム運用者は、ｗｅｂロボット６１ａに対して、予め、「ｂｕｂｂｌｅ」タグが検索タグであることを認識するように設定する。
そして、ｗｅｂロボット６１ａは、多数のホームページを読み込み、＜ｂｕｂｂｌｅ＞タグを検索し、その＜ｂｕｂｂｌｅ＞タグが付されたホームページファイルを検索用インデックスに登録し、検索結果として表示する。すなわち、多数のホームページのうち、＜ｂｕｂｂｌｅ＞タグが付されたものだけが収集され、その中の属性情報に基づいて別個にデータベース化される。具体的には、ｗｅｂロボット６１ａは、ロケーションタグを検索して、子要素の位置情報（緯度，経度，高度），バブル径およびそれ以外のパラメータを抽出し、これらとＵＲＬとをリンクして、データベース１５ａに登録するのである。
【０１８６】
さらに、データベース化は、ｗｅｂロボット６１ａによって実行されるので、収集できる情報量が大量となり、かつ、頻繁に収集できるので、システム運用者は、きめ細かい情報をユーザに対して提供できる。
なお、検索するｗｅｂロボット６１ａと、検索されるｗｅｂ情報出力部１８ｂとは、同一のシステム運用者が有していても、別々でもよい。
【０１８７】
このように、レストランの店主や企業は、自店舗または自社の情報をバブルデータとして、予め、ｗｅｂロボット６１ａに発見されるようにサービスセンタ１９ａのｗｅｂサーバ１３ｂに登録できる。
また、図２３（ａ）は第２実施形態に係るＤＴＤ情報を説明するための図である。この図２３（ａ）に示すイメージ６３は、７種類の子要素を有し、例えば、緯度，経度，高度およびバブル径，表示アニメーション，属性情報，起動アプリケーション，状態ファイル名，ＵＲＬおよびアクセス履歴などのタグを有する。このバブル径を動的に更新する手法については、後述する第３実施形態において、説明する。
【０１８８】
まず、緯度，経度，高度およびバブル径は、パソコン５８の表示部５８ｇに画像を表示しうる程度の精度を要する。これにより、ユーザは、ｗｅｂロボット６１ａに対して、自分の空間占有情報を通知することができる。
そして、表示アニメーションは、ブラウザプログラムの画面に現れる、動くアニメーションであって、例えば、ホームページのあるページにおいて、例えば車両や飛行機のようなキャラクタが左から右に移動するものについて、そのファイル名を表す。従って、データベース１５ａが、ＤＴＤ情報に、パソコン５８が表示するアニメーションタグ（表示アニメーション）を保持するように構成されたことになる。これにより、ユーザは、一層ビジュアル化された状態にてバブルデータを得ることができる。
【０１８９】
また、属性情報は、サービス情報の属性（例えば業種）を表すものであって、レストラン，病院，ホテル，ガソリンスタンド，学校などを表す。この属性情報は、これらの業種のそれぞれに対応する複数のレイヤで管理されるようになっている。換言すれば、データベース１５ａが、ＤＴＤ情報を、複数のタグごとに分類して保持するようになっている。すなわち、ｗｅｂロボット６１ａは、ユーザが送信した属性情報がレストランまたは病院のときは、レストランだけを抽出したレストランレイヤまたはガソリンスタンドレイヤを作成して、そのコンテンツを表示するのである。また、ｗｅｂロボット６１ａは、特定のバブル番号を指定して、その結果をユーザに対して送信することもできる。
【０１９０】
従って、サービスセンタ１９ａは、ユーザからのアクセスに含まれる属性情報に対応する属性情報をユーザに送信することができる。これにより、サービスセンタ１９ａは、レストランを検索するために、データベース１５ａの各ディレクトリに保持されたすべてのファイルを総当たりで検索する手間が不要となり、所望の情報を効率的かつ高速に抽出することができる。
【０１９１】
この手法によると、データベース１５ａを生成するに当たり、ｗｅｂロボット６１ａは、ｗｅｂ情報出力部１８ｂに一旦保持されたものからＤＴＤ情報で記述されたものを抽出している。一方、データベース１５ａを生成するに当たり、システム運用者は、ユーザに直接、ＤＴＤ情報を付した状態でホームページファイルを記述させて、そのホームページファイルを転送させるようにもできる。
【０１９２】
すなわち、ｗｅｂロボット６１ａは、標準仕様として、ユーザからＤＴＤ情報を付したホームページファイルが転送されると、ＤＴＤ情報を読み込むのである。これにより、携帯端末１１かのアクセスの場合と、パソコン５８からのアクセスの場合とで、それぞれ、表示内容を変化させることができる。すなわち、ユーザが携帯端末１１からホームページファイルを登録した場合には、不要な表示キャラクタなどを省略してデータベース化するようにして、データ量を削減できるのである。従って、携帯端末１１またはＰＤＡ３２を用いてアクセスした者は、ホームページのページ換えを快適にすることができる。
【０１９３】
これにより、データベース１５ａのバブルデータ（図７，図８参照）を構築する手法は、ｗｅｂロボット６１ａがｗｅｂ情報出力部１８ｂを検索してＤＴＤ情報が付されたホームページファイルだけを抽出する手法と、各ユーザが直接ＤＴＤ情報を付して記述したものを転送しｗｅｂロボット６１ａがそのホームページファイルからＤＴＤ情報を読み込んでデータベース１５ａを生成する手法との２種類がある。
【０１９４】
このように、多数のホームページファイルは、ＤＴＤ情報により、フィルタリングされ、図７，図８に示すバブルデータが生成されるのである。
また、サービスセンタ１９ａは、図７に示すバブルデータ１５ａを、このバブルデータ１５ａのサービス情報の内容について識別可能な固有番号（バブル番号）を関連づけて保持している。例えば、家電販売店は、複数のフロアを有する。
【０１９５】
これにより、ユーザが、そのフロアのいずれかにおいて、製品を購入した場合に、そのフロアの情報を、他人に伝達できるのである。また、これにより、ユーザは、パソコン５８に特定のバブル番号を指定して表示させることができる。
続いて、図２３（ａ）に示す起動アプリケーションは、パソコン５８にて地図情報を表示するアプリケーションプログラム名であって、ユーザが地図を表示する際に用いるものである。従って、データベース１５ａが、状態ファイルに、パソコン５８にて地図を表示するアプリケーションプログラムに関するデータを保持するように構成されたことになる。そして、この起動アプリケーションは、携帯端末１１が受信したＪＡＶＡ（登録商標）プログラムによって起動されるようになっている。すなわち、ユーザのもつパソコン５８に適合するように翻訳され、ユーザ端末に適合して実行されるので、ユーザはビジュアル化されたデータを得られる。
【０１９６】
さらに、ユーザは、他人が自分のホームページをアクセスしたときに、まず、他人の画面上に視覚的または音的に効果的な表示アニメーションを動かすことが多い。従って、データベース１５ａが、ＤＴＤ情報に、地図を表示するためのアプリケーションプログラムタグを保持するように構成されたことになる。これにより、ユーザは、ビジュアル化された地図を利用してコンテンツを得ることができる。
【０１９７】
また、ＵＲＬは、図７および図８に示すアドレスを表している。なお、このイメージ６３には、署名に関する内容を保持するようにもできる。加えて、このイメージ６３には、文字の大きさ，フォントまたは強調文字に関する情報を含めるようにもなっている。従って、ホームページに関する表示の制御情報が含まれる。
このように、サービスセンタ１９ａのデータベース１５ａには、ホームページ情報と、制御情報とが、関連づけられて保持されている。
【０１９８】
加えて、データベース１５ａは、ユーザが通信を希望する条件を示すタグを設けるようにもなっている。例えば、ＤＴＤ情報には、ユーザが通信を希望する特定の人間だけのみとアクセスできるように、ユーザが希望する相手を女性と入力し、ユーザ自身の連絡先をも入力し、また、検索する時間間隔を１０分おきと入力してサービスセンタ１９ａに送信するのである。従って、データベース１５ａが、ＤＴＤ情報に、特定の通信相手に関する通信相手情報タグを保持するように構成されたことになる。例えば、あるユーザＡは希望する相手を女性とし、ユーザＢは希望する相手を男性と登録しておき、ｗｅｂサーバ１３ｂが、予め相互に設定したプロフィールタグと合致する者同士を設定できるのである。これにより、各ユーザは、それぞれ、希望する相手とのみ通信できる。
【０１９９】
また、このＤＴＤ情報は、ユーザが書いたものであって、書き換えが不可能である。このため、ＤＴＤ情報を補助するために、書き換え可能な状態ファイルが設けられている。この状態ファイルとは、保存パラメータなどを保持するためのファイルであって、例えばユーザのアクセス管理やアクセス制限に関するデータが保持されている。この状態ファイルは、登録されたユーザごとに設けられるようにしたり、または、アクセスごとに生成されるようにしてもよい。また、この状態ファイルの機能は、例えばスクリプト言語を用いて記述されたものにより実現される。すなわち、状態ファイルは、管理すべきＤＴＤ情報またはＤＴＤ情報に含まれるタグの中から所望のものを選択できるようになっている。
【０２００】
図２３（ｂ）は第２実施形態に係る状態ファイルを説明するための図である。この図２３（ｂ）に示す状態ファイルのイメージ６４は、例えばＵＮＩＸ（登録商標）（ユニックス：オペレーションシステムの一種類を表す。）により書き換えられるものであって、カウンタ（ｌｉｆｅカウンタ），アクセス可能期間（ｌｉｆｅ日），起動ファイル名，動的バブル径およびアクセス履歴などが記載されるようになっている。
【０２０１】
このカウンタは、例えば減算カウンタであって、サービスセンタ１９ａのプログラムが例えば初期値を１００回とした後に、このＤＴＤ情報にアクセスした者がいる場合は、そのアクセスの度にカウンタが減算され、そのカウンタ値が０になるとカウンタが消滅するようになっている。従って、データベース１５ａが、状態ファイルに、カウンタ値が変化しうるカウンタに関するデータを保持するように構成されたことになる。また、従って、データベース１５ａが、状態ファイルに、アクセス可能な時間に関するデータを保持するように構成されたことになる。
【０２０２】
このカウンタ機能は、ｃｇｉ（Common Gateway Interface）プログラム（以下、ｃｇｉと略称することがある。）と、カウンタファイルとが協働することによって実現される。このｃｇｉプログラムは、ホームページを動作させるための本体であって、そのホームページファイルにかかりつけ（付随）のものであって、例えばＵＮＩＸ（登録商標）などが有するプログラムである。また、カウンタファイルは、アクセスされるごとにカウント動作をするファイルであって、状態ファイルとは別に設けられている。カウンタファイルは、例えばホームページが何回アクセスされたかを表わすアクセスカウンタや、ユーザからの書き込みによって内容が追加される掲示板などに用いられ、ホームページのトップファイルがあるディレクトリに設けられている。
【０２０３】
これにより、ホームページが外部からアクセスされると、ｃｇｉが起動し、ｃｇｉがカウンタファイルを読み込み、そして、ｃｇｉは、カウンタ値を示す引数を、カウンタファイルに渡すと、そのカウンタファイルからカウンタ値が入った引数が返される。さらに、このｃｇｉは、このカウンタ値をＵＮＩＸ（登録商標）レスポンスとして、アクセスしたユーザに対して返すのである。従って、カウンタ値を変化させるようになっている。
【０２０４】
これにより、例えば、企業などが「先着の１００名までのホームページにアクセスしたお客様に、景品をプレゼントする。」というサービスをする場合は、その企業は、まず、その新たな１００名という情報内容を、ホームページファイルに記述し、そのソースファイルをｗｅｂ情報出力部１８ｂに登録する。
次に、ｗｅｂロボット６１ａ，ｗｅｂ情報出力部１８ｂまたは更新部６１ｃは、そのホームページファイルを検索して１００名という情報を抽出し、この情報を状態ファイルに書き込み込む。そして、この１００が初期値として状態ファイルに書き込まれた後に、ユーザのアクセスによりカウンタ値が減算され続ける。そして、アクセス数が１００を超えると、ｃｇｉは、カウンタファイルから引数０を返され、ユーザに対してアクセス不可を返すとともに、カウンタファイルを消去するなどして、動作を停止させ、アクセス制限する。
【０２０５】
このように、ユーザから送信されたデータなどに基づいて処理され、その処理結果によりアクセス制限ができる。
なお、このカウンタは、他のカウント手法を用いることもできる。例えば、ｗｅｂサーバ１３ｂは、同時にアクセスできるユーザの数を２０人と設定し、常時、入場したユーザ数と退出したユーザ数とを監視し、現在のユーザ数が２０人以下であることを監視するのである。
【０２０６】
次に、アクセス可能期間とは、ユーザがアクセス可能な期間を制限するためのデータであって、例えば、春，夏，秋および冬のそれぞれに対応して、３〜５月，６〜８月，９〜１１月および１２〜２月などを設定されるようになっている。また、このアクセス可能期間は、所定期間だけ有料ニュースを配信する場合のために用いることができる。すなわち、ｗｅｂサーバ１３ｂは、このアクセス可能期間を監視することにより、期限切れのユーザがアクセスすることを防止するのである。
【０２０７】
加えて、起動ファイル名は、ＤＴＤ情報の起動アプリケーションに対応するファイル名を表すものである。ユーザは、ＤＴＤ情報に含まれる起動アプリケーションを、例えばＪＡＶＡ（登録商標）プログラムとして書き込む。その後、そのＪＡＶＡ（登録商標）プログラムがバージョンアップされてファイル名が変更されると、その書き込まれたＪＡＶＡ（登録商標）プログラムは、ユーザのパソコン５８などに表示されない。
【０２０８】
従って、ＪＡＶＡ（登録商標）プログラムが、バージョンアップされたときに、ユーザがそのバージョンアップされた新しい名称を逐一変更する必要がなく、動的に起動アプリケーションを、正確な起動ファイルに変更されるようになる。
また、動的バブル径は、ユーザのパソコン５８にて表示される情報バブルのバブル径である。従って、データベース１５ａが、状態ファイルに、パソコン５８が表示する地図の尺度に応じた径を有する動的バブル径に関するデータを記録するように構成されたことになる。すなわち、パソコン５８に表示されるバブル径は、サーバによって管理されるのである。従って、ユーザから送信された表示地図情報の座標と空間占有情報とに基づいて、サービスセンタ１９ａが、適応的にバブル径を変化させることができる。これにより、地図にマッピングされた情報をビジュアル化でき、ユーザは、自分が表示させている地図の縮尺に応じた大きさの情報バブルを得ることができる。
【０２０９】
さらに、アクセス履歴とは、そのホームページにアクセスした者を識別するための情報である。ここで、図２３（ａ）に示すイメージ６３のＵＲＬに、特定のプロキシーサーバ（図示省略）のＩＰアドレスを記述し、また、図２３（ｂ）に示すアクセス履歴に、そのホームページにアクセスした者の識別子（ＩＤ：Identification，以下、ＩＤと称することがある。）を記録するのである。
【０２１０】
このＩＤは各ユーザを識別するためのものであって、状態ファイル内において、スタックされるようになっている。そして、これらのＩＰアドレスとＩＤとの双方によって、サービスセンタ１９ａは、各ユーザを識別できるようになっている。従って、データベース１５ａが、状態ファイルに、パソコン５８のアクセスに起因するＩＰアドレスの履歴情報と、パソコン５８を識別しうるＩＤ情報とを保持するように構成されたことになる。
【０２１１】
これにより、システム運用者は、市外地にある交差点や、道路上に、情報バブルを設け、例えば歩行中のユーザまたは車両が、その情報バブルを通過すると、その通過した時刻などの履歴が記録される。また、これにより、移動物体でも、通過履歴を適切に追跡されるので、ユーザは、正確な道案内を受けることができる。さらに、車両などの通過履歴も同様に記録でき、これについては、後述する第３実施形態にて説明する。
【０２１２】
なお、図２３（ｂ）に示す状態ファイル（保存パラメータ）は、状況に応じて変化させたり、あるいは、拡張性をもたせる必要がある。さらに、ユーザは、子要素の表示アニメーションについて、そのアニメーションデータの保持場所やバブルデータの属性情報を記述するようにしてもよい。その場合、多くのサービスが実現可能となる。
このように、ユーザが予め書き込みして内容を変更できないＤＴＤ情報と、ｃｇｉにより内容を変更できる状態ファイルとが、相互に協働することによって、ユーザが必要とするバブルデータのイメージが送信される。
【０２１３】
また、このように、すべてのタグ情報が、バブル径にリンクして表示される。また、表示部５８ｇに表示された初期画面における地図にマッピングされるので、ユーザに対して情報が視覚化され、ビジュアル性が向上する。そして、この視覚化において、バブルデータの表示部５８ｇにおける占有面積は、バブル径と地図の尺度とに基づいて決定される。
すなわち、ユーザは、パソコン５８がパソコン５８自身の地図表示アプリケーションプログラム（以下、地図アプリケーションと略称することがある。）を起動させ、パソコン５８に表示されている地図に、位置情報／ＵＲＬリンクデータベース１５ａに保持されたバブルデータを重ね合わせることができる。
【０２１４】
また、ユーザは、ユーザ端末として、携帯端末１１やＰＤＡ３２を使用することができる。
図１７は第２実施形態に係るＰＤＡ３２の概略ブロック図である。この図１７に示すもので、上述したものと同一の符号を有するものは同一のものまたは同様の機能を有するものなので、更なる説明を省略する。
【０２１５】
この図１７に示すＰＤＡ３２は、３次元における物体の緯度，経度，高度，方位および傾斜角度を有する位置情報を検出する検出部２１をそなえて構成されている。この検出部２１は、方位を測定しうる方位センサ（地磁気センサ）１１ｂと、グローバル・ポジショニング・システムを用いた衛星情報を受信しうる衛星情報受信部（ＧＰＳモジュール）１１ｃと、パソコン５８の水平線からの傾斜角度を測定しうる傾斜センサ１１ａとをそなえて構成されている。
【０２１６】
これにより、ユーザは、緯度Ａ，経度Ｂおよび高度０と、地磁気センサ１１ｂにより測定された方位と、傾斜角度θとを取得し、サービスセンタ１９ａに対してこれらの位置情報を送信する。そして、サービスセンタ１９ａは、その位置情報に基づいて、データベース１５ａが保持する空間占有情報のうちその位置情報を含む特定空間占有情報に対応するＵＲＬを抽出し、そのＵＲＬに対応するコンテンツをＰＤＡ３２に対して送信するのである。
【０２１７】
従って、ユーザは、ＰＤＡ３２を用いてバブルデータを得ることができ、また、ＰＤＡ３２に予めインストールした地図アプリケーションを用いて、地図にバブルデータをマッピングできるので、やはり、ビジュアル化された情報を得ることができる。
加えて、ＰＤＡ３２においては、第２送信部２２ａが、座標情報に基づいて生成された電子メールアドレスを用いてマッピング要求を送信するようになっている。なお、この座標情報とは、緯度，経度，高度からなる３次元空間におけるものである。
【０２１８】
さらに、携帯端末１１は、図４に示すように、マッピング部５８ｆと地図情報保持部５８ｃ（図１７参照）とを加えたものである。
これにより、無線回線におけるデータ伝送量の少なさが考慮され、パソコン５８に比べて、データ伝送量が少なくなり、トータル的には、消費電力の削減が可能となる。
また、図２３（ａ）において、携帯端末１１を用いた場合には、ユーザが例えばイタリア料理店を探すときに、まず、ユーザは、自分の半径１０ｍ内における店を選択するため、ＤＴＤ情報の子要素に、バブル径として半径１０ｍを入力し、また、属性情報としてイタリア料理店を入力して、サービスセンタ１９ａに送信する。そして、携帯端末１１は、定期的に自分の位置情報をサービスセンタ１９ａに対して送信し続ける。ここで、サービスセンタ１９ａが、そのユーザの１０ｍ以内にイタリア料理店を発見した場合は、そのユーザに対して、着信音などを鳴動させてその旨を通知するようになっている。
【０２１９】
なお、第２実施形態においても、サービスセンタ１９ａが有する各機能は、いずれも、図２に示すように、一つのサーバ（図１参照）で構成したサービスセンタ１９ａの各機能を複数のサーバに分散して構成することができる。すなわち、各機能を、インターネット１２の他の場所に分散させるようにもできる。
さらに、サービス情報提供システム９ａは、地図を表示しうるパソコン５８に対して情報を提供するシステム９ａにおけるものである。そして、システム９ａは、物体に関連する各種情報またはその各種情報に関連するサービス情報の属性を表す属性情報と複数のタグからなるＤＴＤ情報とを有するホームページのうちＤＴＤ情報を有するＳＧＭＬまたはＸＭＬで記述されたホームページについて、３次元空間における物体の緯度，経度，高度およびバブル径からなる空間占有情報とサービス情報を得るためのＵＲＬとを対応づけられたバブルデータとして保持するデータベース１５ａと、データベース１５ａとインターネット１２を介して接続されバブルデータを用いて検索された各種情報を表示するパソコン５８と、パソコン５８から送信された、地図に表示された物体の緯度，経度，高度からなる３次元空間における座標情報と物体に関連する各種情報またはその各種情報に関連するサービス情報の属性を表す表示対象属性情報とを有するマッピング要求に基づいて、バブルデータのうち座標情報および表示対象属性情報を含む特定バブルデータを検索するｗｅｂロボット６１ａと、特定バブルデータの空間占有情報，属性情報およびＵＲＬを有するマッピング応答をパソコン５８に対して通知する通知部６１ｂとをそなえている。
【０２２０】
そして、パソコン５８が、３次元空間における物体の地図情報を出力する地図情報保持部５８ｃと、地図情報保持部５８ｃから出力された地図情報に基づいて物体の画像を画面に表示する表示部５８ｇと、表示部５８ｇに表示された物体の３次元空間における緯度，経度，高度およびバブル径からなる座標情報と物体に関連する各種情報またはその各種情報に関連するサービス情報の属性を表す属性情報とを有するマッピング要求を、パソコン５８とインターネット１２を介して接続されたサーバに対して送信する送信部５８ｄと、マッピング要求についてサービスセンタ１９ａが通知した、空間占有情報に対応する３次元空間における物体の緯度，経度，高度およびバブル径からなる空間占有情報とサービス情報を得るためのＵＲＬとを有するマッピング応答を受信する受信部５８ａと、マッピング応答に含まれる空間占有情報が示す位置に、イメージ形状を物体の画像とともに表示部５８ｇに表示するマッピング部５８ｆと、マッピング部５８ｆにより表示されるイメージ形状とマッピング応答に含まれるＵＲＬとを関連づけて保持するマッピングデータ保持部５８ｅとをそなえて構成されている。
【０２２１】
さらに、第２実施形態においても、第１実施形態のサービスと同様に、サービスセンタ１９ａと携帯端末１１，ＰＤＡ３２またはパソコン５８との間のデータをメールにより送受信することができる。すなわち、データベース１５ａが、空間占有情報に基づくＵＲＬを電子メールアドレスとし、この電子メールアドレスに対応して空間占有情報を保持するようになっている。換言すれば、ＵＲＬが示すリンク先がメールデータを表すのである。
【０２２２】
これにより、例えばレストランの店主は、自分で、例えば飲食物などのサービス情報を、バブルデータにリンクさせて登録でき、店主は、一般のユーザに対して店舗の宣伝が可能となり、非常に登録が簡単になりサービスの利用が促進される。また、企業は、ユーザに対し、意見などの宛先としてそのメールアドレスを示すので、そのメールアドレスに対応したバブルデータが利用される。
【０２２３】
このような構成によって、サービスセンタ１９ａは、第１実施形態におけるサービス１およびサービス２がユーザに提供するほかに、地図アプリケーションをインストールしているユーザに対して、バブルデータのマッピングサービスをし、また、サービス３〜７を提供する。まず、バブルデータのマッピングについて、図２４を用いて説明し、次に、サービス３〜７について、図２５〜図２９を用いて説明する。
【０２２４】
図２４は第２実施形態に係るマッピング方法を説明するための図である。情報提供サービス方法は、地図を表示しうるパソコン５８に対して情報を提供するシステム９ａにおけるものである。
パソコン５８が、画像を表示する表示部５８ｇに地図を表示する（地図表示ステップ）。すなわち、ユーザは、サービス１を受けるに当たり、パソコン５８の地図アプリケーションを起動させて（ステップＴ１）、画面に地図が表示される（ステップＴ２）。また、この地図表示に当たり（地図表示ステップ）、パソコン５８は、取得した緯度または経度に基づいて、地図を画面に表示するようになっている。従って、どの場所にいても、ユーザは情報バブルを得ることができる。
【０２２５】
そして、パソコン５８が、地図表示ステップにて表示された地図情報から物体を選択する（選択ステップ）。
続いて、パソコン５８が、パソコン５８とインターネット１２を介して接続されたサービスセンタ（サーバ）１９に対して、選択ステップにて選択した物体に関する３次元空間における座標情報と提供するサービス情報の属性を表す表示対象属性情報とを有するマッピング要求を送信する（送信ステップ）。
【０２２６】
さらに詳述すると、パソコン５８は、パソコン５８とインターネット１２を介して接続されたサービスセンタ（サーバ）１９に対して、選択ステップにて選択した物体に関する３次元空間における緯度，経度，高度およびバブル径からなる座標情報と物体に関連する各種情報またはその各種情報に関連するサービス情報の属性を表す表示対象属性情報とを有するマッピング要求を送信する（送信ステップ）。すなわち、パソコン５８は、サービスセンタ１９ａに対して、バブルデータの重合（重ね合わせ）を依頼し、緯度，経度，高度およびバブル径からなる空間占有情報と属性情報とを通知する（ステップＴ３）。
【０２２７】
サービスセンタ１９ａは、この通知を受信すると、送信ステップのマッピング要求に基づいて、３次元空間における物体の緯度，経度，高度およびバブル径からなる空間占有情報と物体に関連する各種情報またはその各種情報に関連するサービス情報を得るためのＵＲＬとを対応づけられたバブルデータのうち座標情報および表示対象属性情報を含む特定バブルデータを検索する（検索ステップ）。すなわち、ステップＴ４にて、タグの座標，データを検索し、緯度，経度，高度およびバブル径に基づいて、ユーザがマッピングしようとしている対象を選択する。
【０２２８】
そして、この検索に当たり（検索ステップ）、サービスセンタ１９ａは、アクセスによってカウント値が変化しうるカウンタを用いて検索するようになっており、また、カウントの停止により所定のファイルが消滅するようになっている。
さらに、この検索に当たり（検索ステップ）、サービスセンタ１９は、サーバに同時にアクセスできるアクセス数に基づいて検索したり、あるいは、特定の通信相手に関する通信相手情報に基づいて検索するようにもできる。
【０２２９】
加えて、この検索に当たり（検索ステップ）、サービスセンタ１９は、サービスセンタ１９が、予め設定され通信相手に関する情報に合致する通信相手バブルデータを読み出し（読み出しステップ）、パソコン５８の現在位置情報を受信し（現在位置情報受信ステップ）、通信相手バブルデータと現在位置情報とに基づいて、パソコン５８と通信相手との接近を検出し（接近検出ステップ）、そして、パソコン５８に接近を通知するのである（接近通知ステップ）
これにより、サービスセンタ１９ａは、簡単に、種々のビジュアル的なサービスを提供することができる。
【０２３０】
そして、サービスセンタ１９ａが、検索ステップにて検索された特定バブルデータの空間占有情報とＵＲＬとを有するマッピング応答を、パソコン５８に対して通知する（通知ステップ）。すなわち、サービスセンタ１９ａは、フィルタ情報を用いて、絞り込み検索して（ステップＴ５）、ＤＴＤ情報を通知する（ステップＴ６）。さらに、サービスセンタ１９ａは、パソコン５８に対して送信する。
【０２３１】
この通知に当たり（通知ステップ）、サービスセンタ１９ａは、送信ステップにて送信されたマッピング要求に含まれる座標情報に基づいて、パソコン５８の表示部５８ｇが表示する地図の尺度に応じた径を有する動的バブル径を出力し（変化ステップ）、そして、変化ステップにて出力された動的バブル径をマッピング応答に挿入するのである（挿入ステップ）。これにより、ユーザは、正確な大きさの情報バブルを得ることができる。
【０２３２】
さらに、地図の尺度に応じた径を出力するに当たり（変化ステップ）、サービスセンタ１９ａは、アクセス回数，アクセス可能時間またはアクセス可能季節に基づいて、動的バブル径を変化するようになっている。なお、ステップＴ５にて、カウンタが０になっている場合には、サービスセンタ１９ａは、そのカウンタ０になったもののホームページを消去する。従って、サービスセンタ１９ａは、アクセス制限が可能となり、多彩なサービスを提供することができる。
【０２３３】
加えて、上記の通知に当たり（通知ステップ）、サービスセンタ１９ａは、パソコン５８にて地図を表示するアプリケーションプログラムに関する情報（起動アプリケーション名）を通知するようになっている（図２３（ａ）など参照）。そして、パソコン５８が、通知ステップにて通知された特定バブルデータに基づいて、マッピング応答の空間占有情報が示す位置に、イメージ形状を物体とともに表示部５８ｇに表示する（マッピングステップ）。すなわち、パソコン５８は、通知されたＤＴＤ情報に基づいて、情報バブルを地図にマッピングし、バブルアニメーションや動画像が表示され（ステップＴ７）、さらに、例えばイタリア料理のメニューなどの属性情報が表示される（ステップＴ８）。
【０２３４】
ここで、ユーザが、そのメニュー部分をクリックすると（ステップＴ９），ブラウザプログラムが起動し（ステップＴ１０），ユーザは、情報バブルやバブルアニメーションのアイコンに付随するＵＲＬにジャンプしてそのＵＲＬに保持されているホームページの内容（ＵＲＬのファイル）を得る（ステップＴ１１）。
また、ユーザは、マッピングサービスを、パソコン５８のみならず、携帯端末１１，ＰＤＡ３２のような移動端末でも受けることができる。すなわち、サービスセンタ１９ａは、マッピングサービスを提供するに当たり、まず、携帯端末１１から、携帯端末１１の位置および南方向という情報（位置情報）と、そこから５０ｍという範囲（検索距離範囲）と、レストラン（属性情報）とを受信する。そして、ｗｅｂロボット６１ａは、位置情報と検索距離範囲と属性情報とのそれぞれに基づいて、バブルというタグを有するＤＴＤ情報を検索し、ヒットしたものを抽出して、そのヒットしたものを携帯端末１１に対して送信する。
【０２３５】
これにより、サービスセンタ１９ａは、ユーザが所望する範囲において登録された広告主のサービス情報を提供することができ、利用促進が図れる。
次に、サービス３〜７について、図２５〜図２９を用いて、第２実施形態に係るバブルデータのマッピング方法を説明する。
図２５は第２実施形態に係る地図表示を説明するための図である。この図２５に示す画像１００は、表示できる範囲であって、スタートポイント（ＳＰと表示されているもの）を基準としている。そして、地図アプリケーションは、尺度情報と画面の大きさとに基づいて、緯度の範囲と、経度の範囲とを計算する。ここで、経度の範囲は縦方向に取られ、緯度の範囲は横方向に取られるようになっている。
【０２３６】
そして、パソコン５８は、この検索範囲情報をサービスセンタ１９ａに対して通知し、サービスセンタ１９ａは、その検索範囲内にある情報バブルを検索する。
図２６は第２実施形態に係る情報バブルの検索を説明するための図である。この図２６に示す検索範囲１００Ｚにおいて、５個の球状の情報バブル（バブルデータの空間占有情報のイメージ）がヒットしている。サービスセンタ１９ａは、この検索結果をパソコン５８に対して送信する。
【０２３７】
図２７は第２実施形態に係る重合時の画像表示を示す図であり、画像１００には、情報バブルが地図と重ね合わせられている。
このように、ユーザは、情報を簡単に得ることができ、かつ、適当な尺度の表示がされた情報バブルをビジュアル化して得ることができる。
また、このように、サービスセンタ１９ａは、バブルデータへのアクセス度合いまたは時間，季節などに応じて、バブル径を動的に変動させることができる。
【０２３８】
次に、サービス４について、図２８を用いて説明する。
図２８は第２実施形態に係るホームページへのアクセス制限を説明するための図であり、ユーザとｃｇｉ（ｃｇｉプログラム）とカウンタファイル（ｌｉｆｅカウンタファイル）との３者間におけるシーケンスが示されている。
まず、ユーザが、ホームページなどのファイルにアクセスすると（ステップＢ１）、ｃｇｉは、カウンタファイルに引数を渡すことにより、そのカウンタ値を読み込む（ステップＢ２）。そして、そのカウンタ値が０より大きいか否かを判定し（ステップＢ３）、０以下であれば、Ｎルートを通り、ユーザに対して、「アクセスは終了しました。」という旨を送信し、その旨が表示される（ステップＢ４）。
【０２３９】
ステップＢ３にて、カウンタ値が０より大きい場合には、Ｙルートを通り、ｃｇｉはカウンタ値を減算して（ステップＢ５）、その減算したカウンタ値を引数に入れてカウンタファイルに渡すことにより、カウンタ値を書き込む（ステップＢ６）。そして、ｃｇｉは、次の処理へ進み（ステップＢ７）、制御がサーバ側に戻る（ステップＢ８）。
このように、サービス４が実施され、バブルデータが例えば１００回アクセスされると、そのバブルデータのホームページが消滅したり、そのホームページへのアクセスが禁止される。
【０２４０】
また、サービス５については、上述したように、ＵＲＬの代わりに、ＪＡＶＡ（登録商標）などのアプリケーションが起動される。これにより、サービスセンタ１９ａは、ユーザの位置情報とそれに付随する属性とをフィルタリングしてその結果をユーザに対して通知するのである。
さらに、サービス６についても、サービス４と同様であって、ｃｇｉとカウンタファイルとによるカウント機能により実現される。すなわち、サービスセンタ１９ａは、企業などのバブルデータに、アクセス回数を設定し、そのアクセス回数を監視するのである。これにより、サービスセンタ１９ａは、特定のホームページが予め例えば１００人までと設定した後に、アクセス数が１００を超えると、ユーザのアクセスを禁止できる。
【０２４１】
加えて、サービス７について図２９を用いて説明する。サービス７の内容は、相互に設定された条件に合致するバブルデータが近づくと、サービスセンタ１９ａが所有者に対して、その条件に合致するバブルデータの接近を通知する。ここで、ユーザは、ユーザ端末として、携帯端末１１またはＰＤＡ３２を所有し、これらの端末が有する位置情報を元に、サービス７が実施されるのである。
【０２４２】
図２９は第２実施形態に係るバブルデータ同士の接近時のサービスを説明するための図である。この図２９には、ユーザ１（２０歳男性）と、サービスセンタ１９ａと、ユーザ２（２１歳女性）との３者間におけるシーケンスが示されている。なお、「ユーザ１」は、「２０歳男性」を表すほかに、ユーザ１が使用している「携帯端末１１またはＰＤＡ３２」を表す。「ユーザ２」も、「２１歳女性」と、ユーザ２が使用している「携帯端末１１またはＰＤＡ３２」を表す。
【０２４３】
まず、ユーザ１が、検索条件をサービスセンタ１９ａに対して送信する（ステップＣ１）。ここで、ユーザ１は、検索条件として、２５歳までの女性という旨の条件を送信する。また、ユーザ２も同様にして、２５歳までの男性という旨の条件をサービスセンタ１９ａに対して送信する（ステップＣ２）。さらに、サービスセンタ１９ａは、検索条件の合致についての判断は、例えばユーザ１とユーザ２との距離が１００ｍ以内になったときにヒットするように予め条件を設定しておく。
【０２４４】
なお、サービスセンタ１９ａは、ユーザ１またはユーザ２のほかにも、図示省略するが多数のユーザからの検索条件を受信してその処理をする。
次に、ユーザ１は、自己位置（自己位置に関する情報）をサービスセンタ１９ａに対して、送信し続ける（ステップＣ３，ステップＣ５，ステップＣ７，ステップＣ１１）。そして、サービスセンタ１９ａは、ユーザ１またはユーザ２からの自己位置データを受信すると、その自己位置を送信したユーザの周囲１００ｍ以内に、そのユーザが送信した条件に合致したユーザ（ターゲット）がいるか否かを検索する（ステップＣ４，ステップＣ６，ステップＣ８）。
【０２４５】
そして、ユーザ１が自己位置を送信し（ステップＣ７）、サービスセンタ１９ａが検索して（ステップＣ８）、条件が合致したターゲットを発見すると（ステップＣ９）、サービスセンタ１９ａは、ユーザ１とユーザ２との両者に、メールを送信する（ステップＣ１０）。すなわち、サービスセンタ１９ａは、緯度，経度，高度をユーザ１とユーザ２とのそれぞれに対して通知するのである。
【０２４６】
ユーザ１は、再度、自己位置をサービスセンタ１９ａに対して送信する（ステップＣ１１）。一方、ユーザ２は、サービスセンタ１９ａから指定された情報バブルを検索しながら移動し（ステップＣ１２）、ユーザ２は、携帯端末１１（またはＰＤＡ３２）を情報バブルに向けて、検索する（ステップＣ１５）。ここで、サービスセンタ１９ａは、ターゲットが検索している最中であっても、ターゲット位置を把握するようにしている（ステップＣ１３）。
【０２４７】
そして、ユーザ２が目標を認識すると（ステップＣ１６）、サービスセンタ１９ａに対して代理メールの送信を依頼し（ステップＣ１７）、サービスセンタ１９ａが、ユーザ１に対して代理メールを送信すると（ステップＣ１４）、ユーザ１とユーザ２がお互いを認識することができる（ステップＣ１８）。
このように、相互に設定された条件に合致するバブルデータが近づくと、サービスセンタ１９ａは、そのバブルデータの所有者に通知できる。
【０２４８】
また、サービス７の別方法は、ユーザがサービスセンタ１９ａに対して、検索条件として予め属性情報に所望の情報を入力して送信するのである。
例えば、ユーザはイタリア料理店を検索条件として入力し、検索間隔時間を１分とし、また、検索範囲を５０ｍとしてサービスセンタ１９ａに送信（登録）する。そして、ユーザは、携帯端末１１を用いて位置情報を検出し続けて、その位置情報を、随時、サービスセンタ１９ａに対して送信する。
【０２４９】
サービスセンタ１９ａは、１分間隔でこのユーザを表すバブルデータの周囲５０ｍの範囲にあるバブルデータを検索し、属性情報がイタリア料理店であるものを検索する。そして、サービスセンタ１９ａは、イタリア料理店を発見すると、その店名，場所およびメニューなどの情報を、ユーザに対して送信する。ここで、ユーザは、携帯端末１１またはＰＤＡ３２のビープ音により、イタリア料理店の存在を知るのである。
【０２５０】
従って、情報提供サービス方法は、まず、パソコン５８が、建物（物体）に関連する施設情報またはその施設情報（各種情報またはその各種情報）に関連するサービス情報の属性を表す属性情報を有するホームページ（情報ページ）のうち、属性情報に関し複数のタグからなるＤＴＤ情報が記載されたホームページ（特定情報ページ）をデータベース１５ａに記録する（情報ページ記録ステップ）。
【０２５１】
次に、サービスセンタ１９ａが、情報ページ記録ステップにて記録された情報ページに基づいて、３次元空間における物体の緯度，経度，高度およびバブル径からなる空間占有情報とサービス情報を得るためのＵＲＬとを対応づけられたバブルデータを登録する（バブルデータ登録ステップ）。ここで、バブルデータを登録するに当たり（バブルデータ登録ステップ）、サービスセンタ１９ａは、情報ページ記録ステップにて記録されたコンテンツを他のデータベース１５ａに、記録し（記録ステップ）、サーバが、記録ステップにて記録したコンテンツについて、３次元空間における物体の緯度，経度，高度およびバブル径からなる空間占有情報とサービス情報を得るためのＵＲＬとを対応づけられたバブルデータとしてデータベース１５ａに登録する（第２登録ステップ）。
【０２５２】
そして、サービスセンタ１９ａが、バブルデータ登録ステップにて登録されたバブルデータに起因する情報をパソコン５８に対して提供するのである（提供ステップ）。
ここで、サーバがバブルデータを登録するに当たり（バブルデータ登録ステップ）、サービスセンタ１９ａは、情報ページ記録ステップにて記録されたコンテンツのＤＴＤ情報のうち「ｂｕｂｂｌｅ」というタグを有する複数のＤＴＤ情報（特定ＤＴＤ情報）を抽出する（特定ＤＴＤ情報抽出ステップ）。
【０２５３】
そして、サービスセンタ１９ａは、複数のＤＴＤ情報（特定ＤＴＤ情報）を、バブルデータとして登録する（第１登録ステップ）。
このように、システム９ａが、情報提供サービスを提供するに当たり、ユーザがサービス情報を得るためのユーザインターフェースを向上させることができる。すなわち、システム運用者は、サービス情報の登録のためにマッピングするときのビジュアル化が可能となる。
【０２５４】
また、このように、システム９ａは、サービス情報を所定の地図情報とリンクした形でユーザに表示でき、かつ、ユーザが表示するバブルデータの大きさに応じて地図情報を画面に表示できる。
（Ｃ）第３実施形態の説明
第３実施形態においては、バブルデータをカーナビゲーションシステム（以下、カーナビシステムと略称することがある。）に用いる手法について説明する。
【０２５５】
図３０は第３実施形態に係るカーナビシステムを説明するための図である。この図３０に示すカーナビシステム９９は、車両５２のドライバに対して、道案内サービスをするシステムである。このカーナビシステム９９は、運転中のドライバ（ユーザのことを意味する。）に対して、リアルタイムで、目的地に到着できるための案内をするサービスを提供するようになっている。このため、第３実施形態においては、サービスセンタ１９ａが、道路の交差点などに監視用の情報バブルを多数設けることにより、車両５２を検知するようにしている。
【０２５６】
図２３（ａ）に示すＤＴＤ情報には、バブル径が含まれている。ここで、更新部６１ｃは、移動物体を検知するための監視バブルデータを保持し、移動物体の位置情報に基づいて監視バブルデータのバブル径を更新するとともに、データベース１５ａに保持された状態ファイル、移動物体を特定しうる移動物体タグを記録するようになっている。そして、このバブル径は、マッピングするのに十分な程度の精度で、調整されるようになっている。これにより、サービスセンタ１９ａは、精度よく車両５２を追跡でき、ドライバに対して正確な道案内をすることができる。
【０２５７】
すなわち、カーナビシステム９９は、道路の交差点Ｐ1〜Ｐ11に情報バブルを設けている。そして、車両５２が、交差点Ｐ2から、進入した後に、どの方向に向かったのかを、サービスセンタ１９ａが追跡できるようになっている。また、ドライバが目的地に到達するまでに必要な情報をサービスセンタ１９ａが、ドライバに通知し続けるのである。ここで、車両５２は、サービスセンタ１９ａからの通知を、携帯端末１１またはＰＤＡ３２を用いて受信し、例えばハンドフリー装置（図示省略）などを用いて、得られるようになっている。
【０２５８】
このため、サービスセンタ１９ａ内のデータベース１５ａは、状態ファイルに、ＩＤを保持している。従って、データベース１５ａが、状態ファイル、パソコン５８のアクセスに起因するＵＲＬの履歴情報と、パソコン５８を識別しうる識別子情報とを保持するように構成されたことになる。
具体的には、サービスセンタ１９ａは、交差点Ｐ1に設けた情報バブルを通過した車両５２を、アクセスした者として、そのＩＰアドレスを記録するのである。また、ＩＰアドレスのみならず、各ユーザを識別するためにＩＤをも記録するようになっている。そして、これらのアクセス履歴とＩＤとの双方によって、車両５２を特定できるのである。これらの各交差点に設けられた情報バブルが、車両５２などのアクセス履歴を記録し、その記録情報がサービスセンタ１９ａに集約されるようになっている。
【０２５９】
これにより、車両５２を検知するセンサなどを道路上や建物などに、数多く設置することなく、多額の投資を要せずに、道案内が可能となる。従って、カーナビシステム９９は、各車両の移動状況を監視できる。
また、これら以外のものは、第１実施形態および第２実施形態にて説明したものと同様であるので、更なる説明を省略する。
【０２６０】
このような構成によって、情報バブルを用いて、サービスセンタ１９ａは、車両５２の移動を管理する。
図３１は第３実施形態に係るカーナビシステム９９を説明するための図である。この図３１に示す７種類の長方形は、いずれも、市街ブロックを表し、この図３１の左側から入ってきた車両５２が、右側から出ていくまでの道案内を示されている。また、１〜９，Ａ〜Ｅを円囲みしたものは、いずれも、情報バブルであり、市街地に入った車両５２が、道案内を受けて、市街地の外に出ていくまでの、履歴の管理について示されている。
【０２６１】
まず、スタート地点にいた車両５２が、ゴール地点までの道案内を依頼すると、サーバ（サービスセンタ１９ａ）が、ゴール地点までの情報バブルを配置する。そして、車両５２が、自己位置をサーバに対して、逐次、送信し、サーバはその位置にあった情報バブルを検索して、車両位置と合致した情報バブルがあれば、車両５２に対して情報を通知するのである。
【０２６２】
ここで、情報バブル３は、「次の交差点を右です。」と通知し、情報バブル２は、「交差点進入確認。」を通知し、情報バブル５は、「道なり直進です。」と通知する。なお、情報バブル１，４は、いずれも「進路が変わりました。再検索します。」と通知する。さらに、情報バブル６は、「交差点進入確認。」を通知し、情報バブル９は、「次の交差点を左です。」と通知する。また、情報バブル７，８は、いずれも、「進路が変わりました。再検索します。」と通知する。そして、情報バブルＢは、「交差点進入確認。」を通知し、情報バブルＣ，Ｄ，Ｅは、ともに、「道なり直進です。」と通知する。ここで、情報バブルＡは、「進路が変わりました。再検索します。」と通知する。
【０２６３】
このように、ユーザは、目的地までの道案内を正確に受けることができる。また、システム運用者は、高額な車両検出器を設置せずに、車両５２の動きを把握でき、各車両が別の場所に移動しても、追跡を容易できる。
（Ｄ）その他
本発明は上述した実施態様に限定されるものではなく、本発明の趣旨を逸脱しない範囲で、種々変形して実施することができる。
【０２６４】
例えば、システム運用者は、ユーザに対して、ＳＧＭＬまたはＸＭＬを用いてアンケートを集計することもでき、そのアンケートにより、市場調査が可能となる。
また、ｗｅｂロボット６１ａは、膨大な数のホームページから、ユーザの利用に応じて有用なコンテンツのみを抽出し、そして、ユーザの動向について、有用な傾向を得るようにもできる。その索引（索引情報）としては、上記例においては、＜ｂｕｂｂｌｅ＞などの数種類を示したが、これ以外に、カスタマイズした索引タグを作成することもできる。索引タグの項目の例は、文書を作成した人の年齢，性別，職業，家族構成などのほかに、その人の業種，職種，勤務地などである。
【０２６５】
第２実施形態において、情報文書には、ホームページのほかに、例えば、ユーザマニュアル用や社内文書用などの特定の目的や業務に特化した文書が、含まれる。すなわち、これらの特化された文書に、検索し易いタグセットを定義して使用することができる。
さらに、上記の空間占有情報は、２次元および１次元の場合においても実施できる。すなわち、上記データベース１５ａが、２次元空間における平面範囲情報とサービス情報を得るための検索情報とを対応づけられた２次元バブルデータとして保持するように構成されてもよい。また、上記データベース１５ａが、線分の距離情報とサービス情報を得るための検索情報とを対応づけられた１次元バブルデータとして保持するように構成されてもよい。これにより、データベース１５ａが２次元または１次元の情報として記録することにより、保持すべきデータ量が少なくなり、一層の検索の高速化が図れる。
【０２６６】
上記のバブル番号については、サービスセンタ１９，１９ａが、特定のバブル番号を選択していたが、ユーザが、バブル番号に関するデータをサービスセンタ１９，１９ａに対して送信するようにもできる。
さらに、ｉ−ｍｏｄｅ（登録商標）のようなサービスにおいては、送受信するデータ量を小さくするために、ホームページには簡略化した内容が表示されることが多い。
【０２６７】
第１実施形態においては、システム運用者が、ｗｅｂロボット６１ａとバブルデータとの両方を有していたが、ｗｅｂロボット６１ａのシステム運用者とバブルデータを登録するユーザとの関係は、これに限定されるものではなく、他の関係で本発明を実施することが可能である。
第２実施形態においては、地図を表示するファイルの形式は、ＧＩＦのみならず、例えばＢＭＰ，ＪＰＧ（Exif JPEG 24），ＴＩＦ（Tagged Interchange Format），などのファイルを用いることもできる。
【０２６８】
図２３（ｂ）に示す状態ファイルのイメージ６４は、上述したほかに、署名キーに関するデータを保存するようにもできる。
第２実施形態におけるパソコン５８，携帯端末１１またはＰＤＡ３２は、いずれも、画像のマッピングのみならず、音声を適宜効果的に発生させることもできる。
また、パソコン５８に表示される情報バブルの形状は、球形，楕円形のほかにも、種々な形状とすることができる。また、この情報バブルの代わりに、ユーザが作成したアイコンを表示することもできる。
【０２６９】
第３実施形態においては、道路上の車両５２に限定されず、船舶、飛行機のような移動物体についてもサービスを提供することができる。すなわち、移動物体が、所定の時間ごとまたは移動距離ごとに、サービスセンタ１９ａに対して、その時点における位置情報を送信するのである。そして、データベース１５ａが、移動物体から送信される位置情報に基づいてバブルデータのうち空間占有情報のバブル径を逐次更新するのである。これにより、ユーザは移動物体に直接、携帯端末１１またはＰＤＡ３２を向けることによって、その移動物体が有する情報（例えば広告）を得ることができる。さらに、高頻度でそのコンテンツが更新されるので、ユーザはきめ細かい情報を得ることができる。
【０２７０】
また、第３実施形態において、車両５２の代わりに、建物（施設）に入場するユーザの管理に応用することもできる。この施設情報とは、上述したように、ビルやビルなどにある店舗についての店舗情報などをいう。
例えば寺社が、拝観物が設けられた建物に入場したユーザについてのアクセス履歴を管理するのである。また、寺社は、ユーザが歴史的解説などの情報を得た場合は、それらのユーザに対して、課金するようにもできる。
【０２７１】
図２２，図２４において、＜ｌａｔｉｔｕｄｅ＞，＜ｌｏｎｇｉｔｕｄｅ＞，＜ａｌｔｉｔｕｄｅ＞，＜ｓｉｚｅ＞，＜ａｎｉｍａｔｉｏｎ＞，＜ｌｉｆｅｄａｔｅ＞は、それぞれ、緯度，経度，高度，バブル径，表示アニメーション，ｌｉｆｅ日を表す。例えば、緯度が東経１３９゜４６'１.３"であり、経度が北緯３５゜４０'４５．７"であり、高度が５０ｍであり、バブル径が５０ｍかつ動的（ｄｙｎａｍｉｃ）であり、表示キャラクタ（表示アニメーションとして表示するキャラクタ）が"ｈｏｎｓｙａ．ｇｉｆ"であり、表示可能日が２００１／４／２７までであることをそれぞれ表す。
【０２７２】
図２４において、ステップＴ１〜Ｔ３およびステップＴ７〜ステップＴ１１は、それぞれ、パソコン５８の処理であり、また、ステップＴ４〜Ｔ６は、それぞれ、サービスセンタ１９ａの処理である。ステップＴ７のバブルアニメーションは表示アニメーションを表す。ステップＴ８の表示バブルは、画面に表示される情報バブルを表す。
図３１において、建物の表示は、地図情報の表示を表すものではなく、市街地の建物を意味する。
【０２７３】
（Ｅ）付記
（付記１）  地図を表示しうるユーザ端末に対して情報を提供するシステムにおいて、
提供するサービス情報の属性を表す属性情報を有する情報文書のうち、複数の要素からなる索引情報を有する特定情報文書について、３次元空間における空間範囲情報と該サービス情報を得るための検索情報とを対応づけられたバブルデータとして保持するデータベースと、
該ユーザ端末から送信された、該地図に表示された対象の座標情報と該対象の提供するサービス情報の属性を表す表示対象属性情報とを有するマッピング要求に基づいて、該バブルデータのうち該座標情報および該表示対象属性情報を含む特定バブルデータを検索する検索部と、
該特定バブルデータに含まれる該空間範囲情報，該属性情報および該検索情報を有するマッピング応答を、該ユーザ端末に対して通知する通知部とをそなえて構成されたことを特徴とする、サーバ。
【０２７４】
（付記２）  地図を表示しうるユーザ端末に対して情報を提供するシステムにおいて、
物体に関連する各種情報またはその各種情報に関連するサービス情報の属性を表す属性情報を有する情報ページのうち、該属性情報に関し複数の要素からなる索引情報を有する特定情報ページについて、３次元空間における該物体の緯度，経度，高度およびバブル径からなる空間範囲情報と該サービス情報を得るためのアドレス情報とを対応づけられたバブルデータとして保持するデータベースと、
該ユーザ端末から送信された、該地図に表示された物体の緯度，経度，高度からなる３次元空間における座標情報と該地図に表示された物体に関連する各種情報またはその各種情報に関連するサービス情報の属性を表す表示対象属性情報とを有するマッピング要求に基づいて、該バブルデータのうち該座標情報および該表示対象属性情報を含む特定バブルデータを検索する検索部と、
該特定バブルデータの該空間範囲情報，該属性情報および該アドレス情報を有するマッピング応答を該ユーザ端末に対して通知する通知部とをそなえて構成されたことを特徴とする、サーバ。
【０２７５】
（付記３）  地図を表示しうるユーザ端末に対して情報を提供するシステムにおいて、
建物に関連する施設情報またはその施設情報のサービス情報の属性を表す属性情報を有するホームページのうち、該属性情報に関し複数のタグからなる文書型定義情報を有する特定ホームページについて、３次元空間における該建物の緯度，経度，高度およびバブル径からなる空間範囲情報と該サービス情報を得るためのユニフォーム・リソース・ロケータとを対応づけられたバブルデータとして保持するデータベースと、
該ユーザ端末から送信された、該地図に表示された建物の緯度，経度，高度からなる３次元空間における座標情報と該地図に表示された建物に関連する施設情報またはその施設情報のサービス情報の属性を表す表示対象属性情報とを有するマッピング要求に基づいて、該バブルデータのうち該座標情報および該表示対象属性情報を含む特定バブルデータを検索する検索部と、
該特定バブルデータの該空間範囲情報，該属性情報および該ユニフォーム・リソース・ロケータを有するマッピング応答を該ユーザ端末に対して通知する通知部とをそなえて構成されたことを特徴とする、サーバ。
【０２７６】
（付記４）  該通知部が、
該マッピング要求が有する該座標情報に基づき、該ユーザ端末が表示する地図の尺度に応じた径を有する相似バブル径を含む空間範囲情報とアドレス情報とを有する該マッピング応答を通知するように構成されたことを特徴とする、付記１〜付記３のいずれか一に記載のサーバ。
【０２７７】
（付記５）  該検索部が、
該マッピング要求に基づき、該ネットワークに接続された他のデータベースから、該特定バブルデータを検索するように構成されたことを特徴とする、付記２記載のサーバ。
（付記６）  ユーザ情報を保持するウェブ情報出力部を設け、
該ウェブ情報出力部に保持された該ユーザ情報を保持するアドレスを生成するアドレス生成部をそなえて構成されたことを特徴とする、付記２記載のサーバ。
【０２７８】
（付記７）  該データベースが、
該文書型定義情報に、該ユーザ端末が表示するアニメーション要素を保持するように構成されたことを特徴とする、付記２記載のサーバ。
（付記８）  該データベースが、
該文書型定義情報に、該地図を表示するためのアプリケーションプログラム要素を保持するように構成されたことを特徴とする、付記２記載のサーバ。
【０２７９】
（付記９）  該データベースが、
該文書型定義情報に、特定の通信相手に関する通信相手情報要素を保持するように構成されたことを特徴とする、付記２記載のサーバ。
（付記１０）  該データベースが、
該文書型定義情報を、該複数の要素ごとに分類して保持するように構成されたことを特徴とする、付記２記載のサーバ。
【０２８０】
（付記１１）  該データベースが、
該バブルデータを、該バブルデータのサービス情報の内容について識別可能な固有番号を関連づけて保持するように構成されたことを特徴とする、付記１〜付記１０のいずれか一に記載のサーバ。
（付記１２）  該データベースが、
移動物体を検知するための監視バブルデータと、該移動物体の位置情報に基づいて該監視バブルデータのバブル径とを保持するとともに、
該データベースに保持された該ファイルに、該移動物体を特定しうる移動物体要素を記録するように構成されたことを特徴とする、付記１１記載のサーバ。
【０２８１】
（付記１３）  該データベースが、
該ファイルに、ユーザ端末が表示する地図の尺度に応じた径を有する相似バブル径に関するデータを記録するように構成されたことを特徴とする、付記１〜付記４のいずれか一に記載のサーバ。
（付記１４）  該データベースが、
該ファイルに、ユーザ端末のアクセスに起因するアドレス情報の履歴情報と、ユーザ端末を識別しうる識別子情報とのうちの少なくとも一方の情報を保持するように構成されたことを特徴とする、付記１〜付記４のいずれか一に記載のサーバ。
【０２８２】
（付記１５）  該データベースが、
該ファイルに、カウンタ値が変化しうるカウンタに関するデータを保持するように構成されたことを特徴とする、付記１〜付記４のいずれか一に記載のサーバ。
（付記１６）  該データベースが、
該ファイルに、アクセス可能な時間に関するデータを保持するように構成されたことを特徴とする、付記１〜付記４のいずれか一に記載のサーバ。
【０２８３】
（付記１７）  該データベースが、
該ファイルに、該ユーザ端末にて地図を表示するアプリケーションプログラムに関するデータを保持するように構成されたことを特徴とする、付記１〜付記４のいずれか一に記載のサーバ。
（付記１８）  該データベースが、
該空間範囲情報に基づくアドレス情報を電子メールアドレスとし、この電子メールアドレスに対応して該空間範囲情報を保持するように構成されたことを特徴とする、付記１〜付記４のいずれか一に記載のサーバ。
【０２８４】
（付記１９）  地図を表示しうるユーザ端末に対して情報を提供するシステムにおいて、
地図情報を出力する地図情報出力部と、
該地図情報出力部から出力された該地図情報に基づいて対象の画像を表示する表示部と、
該表示部に表示された該対象の３次元空間における座標情報と該対象の提供するサービス情報の属性を表す表示対象属性情報とを有するマッピング要求を、該ユーザ端末とネットワークを介して接続されたサーバに対して送信する送信部と、
該マッピング要求について該サーバが通知した、該座標情報に対応する３次元空間における空間範囲情報と該対象の提供するサービス情報の属性情報を表す属性情報と該サービス情報を得るための検索情報とを有するマッピング応答を受信する受信部と、
該マッピング応答に含まれる該空間範囲情報が示す位置に、イメージ形状を該地図とともに該表示部に表示するマッピング部と、
該マッピング部により表示される該イメージ形状と該マッピング応答に含まれる該検索情報とを関連づけて保持するマッピングデータ保持部とをそなえて構成されたことを特徴とする、ユーザ端末。
【０２８５】
（付記２０）  地図を表示しうるユーザ端末に対して情報を提供するシステムにおいて、
３次元空間における物体の地図情報を出力する地図情報出力部と、
該地図情報出力部から出力された該地図情報に基づいて物体の画像を画面に表示する表示部と、
該表示部に表示された該物体の緯度，経度，高度からなる３次元空間における座標情報と該物体に関連する各種情報またはその各種情報に関連するサービス情報の属性を表す表示対象属性情報とを有するマッピング要求を、該ユーザ端末とネットワークを介して接続されたサーバに対して送信する送信部と、
該マッピング要求について該サーバが通知した、該座標情報に対応する３次元空間における該物体の緯度，経度，高度およびバブル径からなる空間範囲情報と該サービス情報を得るためのアドレス情報とを有するマッピング応答を受信する受信部と、
該マッピング応答に含まれる該空間範囲情報が示す位置に、イメージ形状を該物体の画像とともに該表示部に表示するマッピング部と、
該マッピング部により表示される該イメージ形状と該マッピング応答に含まれる該アドレス情報とを関連づけて保持するマッピングデータ保持部とをそなえて構成されたことを特徴とする、ユーザ端末。
【０２８６】
（付記２１）  地図を表示しうるユーザ端末に対して情報を提供するシステムにおいて、
３次元空間における建物の地図情報を出力する地図情報出力部と、
該地図情報出力部から出力された該地図情報に基づいて建物の画像を画面に表示する表示部と、
該表示部に表示された該建物の３次元空間における緯度，経度，高度およびバブル径からなる座標情報と該建物に関連する施設情報またはその施設情報のサービス情報の属性を表す表示対象属性情報とを有するマッピング要求を、該ユーザ端末とネットワークを介して接続されたサーバに対して送信する送信部と、
該マッピング要求について該サーバが通知した、該座標情報に対応する３次元空間における該建物の緯度，経度，高度およびバブル径からなる空間範囲情報と該サービス情報を得るためのユニフォーム・リソース・ロケータとを有するマッピング応答を受信する受信部と、
該マッピング応答に含まれる該空間範囲情報が示す位置に、イメージ形状を該建物の画像とともに該表示部に表示するマッピング部と、
該マッピング部により表示される該イメージ形状と該マッピング応答に含まれる該ユニフォーム・リソース・ロケータとを関連づけて保持するマッピングデータ保持部とをそなえて構成されたことを特徴とする、ユーザ端末。
【０２８７】
（付記２２）  該受信部が、
該マッピング要求が有する該座標情報に基づき、該表示部が表示する地図の尺度に応じた径を有する相似バブル径を含む空間範囲情報とアドレス情報とを有する該マッピング応答を受信するように構成されたことを特徴とする、付記２１記載のユーザ端末。
（付記２３）  ３次元における物体の緯度，経度，高度，方位および傾斜角度を有する位置情報を検出する検出部をそなえて構成されたことを特徴とする、付記２１記載のユーザ端末。
【０２８８】
（付記２４）  該検出部が、
方位を測定しうる方位センサと、グローバル・ポジショニング・システムを用いた衛星情報を受信しうる衛星情報受信部と、該ユーザ端末の水平線からの傾斜角度を測定しうる傾斜センサとのうちの少なくとも一つをそなえて構成されたことを特徴とする、付記２３記載のユーザ端末。
【０２８９】
（付記２５）  該送信部が、
該座標情報に基づいて生成された電子メールアドレスを用いて該マッピング要求を送信するように構成されたことを特徴とする、付記２１記載のユーザ端末。
（付記２６）  地図を表示しうるユーザ端末に対して情報を提供するシステムにおいて、
物体に関連する各種情報またはその各種情報に関連するサービス情報の属性を表す属性情報と複数の要素からなる文書型定義情報とを有する情報ページのうち該文書型定義情報を有する特定情報ページについて、３次元空間における該物体の緯度，経度，高度およびバブル径からなる空間範囲情報と該サービス情報を得るためのアドレス情報とを対応づけられたバブルデータとして保持するサーバと、
該サーバとネットワークを介して接続され該バブルデータを用いて検索された該各種情報を表示するユーザ端末とをそなえ、
該サーバが、
該バブルデータを保持するデータベースと、
該ユーザ端末から送信された、該地図に表示された該物体の緯度，経度，高度からなる３次元空間における座標情報と該物体に関連する各種情報またはその各種情報に関連するサービス情報の属性を表す表示対象属性情報とを有するマッピング要求に基づいて、該バブルデータのうち該座標情報および該表示対象属性情報を含む特定バブルデータを検索する検索部と、
該特定バブルデータの該空間範囲情報，該属性情報および該アドレス情報を有するマッピング応答を該ユーザ端末に対して通知する通知部とをそなえ、
更に、
該ユーザ端末が、
３次元空間における物体の地図情報を出力する地図情報出力部と、
該地図情報出力部から出力された該地図情報に基づいて物体の画像を画面に表示する表示部と、
該表示部に表示された該物体の画像の３次元空間における緯度，経度，高度およびバブル径からなる空間範囲情報と該物体に関連する各種情報またはその各種情報に関連するサービス情報の属性を表す属性情報とを有するマッピング要求を、該ユーザ端末とネットワークを介して接続されたサーバに対して送信する送信部と、
該マッピング要求について該サーバが通知した、該空間範囲情報に対応する３次元空間における該物体の緯度，経度，高度およびバブル径からなる空間範囲情報と該サービス情報を得るためのアドレス情報とを有するマッピング応答を受信する受信部と、
該マッピング応答に含まれる該空間範囲情報が示す位置に、イメージ形状を該物体の画像とともに該表示部に表示するマッピング部と、
該マッピング部により表示される該イメージ形状と該マッピング応答に含まれる該アドレス情報とを関連づけて保持するマッピングデータ保持部とをそなえて構成されたことを特徴とする、情報提供サービスシステム。
【０２９０】
（付記２７）  地図を表示しうるユーザ端末に対して情報を提供するシステムにおいて、
物体に関連する各種情報またはその各種情報に関連するサービス情報の属性を表す属性情報と複数の要素からなる文書型定義情報とを有する情報ページのうち該文書型定義情報を有する特定情報ページについて、３次元空間における該物体の緯度，経度，高度およびバブル径からなる空間範囲情報と該サービス情報を得るためのアドレス情報とを対応づけられたバブルデータとして保持するデータベースと、
該データベースとネットワークを介して接続され該バブルデータを用いて検索された該各種情報を表示するユーザ端末と、
該ユーザ端末から送信された、該地図に表示された該物体の緯度，経度，高度からなる３次元空間における座標情報と該物体に関連する各種情報またはその各種情報に関連するサービス情報の属性を表す表示対象属性情報とを有するマッピング要求に基づいて、該バブルデータのうち該座標情報および該表示対象属性情報を含む特定バブルデータを検索する検索部と、
該特定バブルデータの該空間範囲情報，該属性情報および該アドレス情報を有するマッピング応答を該ユーザ端末に対して通知する通知部とをそなえ、
該ユーザ端末が、
３次元空間における物体の地図情報を出力する地図情報出力部と、
該地図情報出力部から出力された該地図情報に基づいて物体の画像を画面に表示する表示部と、
該表示部に表示された該物体の３次元空間における緯度，経度，高度およびバブル径からなる座標情報と該物体に関連する各種情報またはその各種情報に関連するサービス情報の属性を表す属性情報とを有するマッピング要求を、該ユーザ端末とネットワークを介して接続されたサーバに対して送信する送信部と、
該マッピング要求について該サーバが通知した、該空間範囲情報に対応する３次元空間における該物体の緯度，経度，高度およびバブル径からなる空間範囲情報と該サービス情報を得るためのアドレス情報とを有するマッピング応答を受信する受信部と、
該マッピング応答に含まれる該空間範囲情報が示す位置に、イメージ形状を該物体の画像とともに該表示部に表示するマッピング部と、
該マッピング部により表示される該イメージ形状と該マッピング応答に含まれる該アドレス情報とを関連づけて保持するマッピングデータ保持部とをそなえて構成されたことを特徴とする、情報提供サービスシステム。
【０２９１】
（付記２８）  地図を表示しうるユーザ端末に対して情報を提供するシステムにおいて、
該ユーザ端末が、地図に表示される物体を選択する選択ステップと、
該ユーザ端末が、該選択ステップにて選択した該物体に関する座標情報と該物体が提供するサービス情報の属性を表す表示対象属性情報とを、それぞれ、該ユーザ端末とネットワークを介して接続されたサーバに対して送信するユーザ端末送信ステップと、
該サーバが、該ユーザ端末送信ステップにて送信された該座標情報および該表示対象属性情報に基づいて、空間範囲情報，属性情報およびアドレス情報をそれぞれ、該ユーザ端末に対して送信するサーバ送信ステップと、
該ユーザ端末が、該サーバ送信ステップにて送信された該空間範囲情報が示す位置に、イメージ形状を該物体とともに該表示部に表示するマッピングステップとをそなえて構成されたことを特徴とする、情報提供サービス方法。
【０２９２】
（付記２９）  地図を表示しうるユーザ端末に対して情報を提供するシステムにおいて、
該ユーザ端末が、画像を表示する表示部に地図を表示する地図表示ステップと、
該ユーザ端末が、該地図表示ステップにて表示された該地図情報から物体を選択する選択ステップと、
該ユーザ端末が、該ユーザ端末とネットワークを介して接続されたサーバに対して、該選択ステップにて選択した該物体に関する３次元空間における座標情報と提供するサービス情報の属性を表す表示対象属性情報とを有するマッピング要求を送信する送信ステップと、
該サーバが、該送信ステップの該マッピング要求に基づいて、３次元空間における該物体の緯度，経度，高度およびバブル径からなる空間範囲情報と該物体が提供するサービス情報を得るためのアドレス情報とを対応づけられたバブルデータのうち該座標情報および該表示対象属性情報を含む特定バブルデータを検索する検索ステップと、
該サーバが、該検索ステップにて検索された該特定バブルデータの該空間範囲情報と該アドレス情報とを有するマッピング応答を、該ユーザ端末に対して通知する通知ステップと、
該ユーザ端末が、該通知ステップにて通知された該マッピング応答の該空間範囲情報が示す位置に、イメージ形状を該物体とともに該表示部に表示するマッピングステップと、
該マッピングステップにて表示された該イメージ形状と該地図とを該ユーザ端末に対して提供する提供ステップとをそなえて構成されたことを特徴とする、情報提供サービス方法。
【０２９３】
（付記３０）  地図を表示しうるユーザ端末に対して情報を提供するシステムにおいて、
該ユーザ端末が、画像を表示する表示部に地図を表示する地図表示ステップと、
該ユーザ端末が、該地図表示ステップにて表示された該地図情報から物体を選択する選択ステップと、
該ユーザ端末が、該ユーザ端末とネットワークを介して接続されたサーバに対して、該選択ステップにて選択した該物体に関する３次元空間における緯度，経度，高度およびバブル径からなる座標情報と該物体に関連する各種情報またはその各種情報に関連するサービス情報の属性を表す表示対象属性情報とを有するマッピング要求を送信する送信ステップと、
該サーバが、該送信ステップの該マッピング要求に基づいて、３次元空間における物体の緯度，経度，高度およびバブル径からなる空間範囲情報と該物体に関連する各種情報またはその各種情報に関連するサービス情報を得るためのアドレス情報とを対応づけられたバブルデータのうち該座標情報および該表示対象属性情報を含む特定バブルデータを検索する検索ステップと、
該サーバが、該検索ステップにて検索された該特定バブルデータの該空間範囲情報と該アドレス情報とを有するマッピング応答を、該ユーザ端末に対して通知する通知ステップと、
該ユーザ端末が、該通知ステップにて通知された該特定バブルデータに基づいて、該マッピング応答の該空間範囲情報が示す位置に、イメージ形状を該物体とともに該表示部に表示するマッピングステップとをそなえて構成されたことを特徴とする、情報提供サービス方法。
【０２９４】
（付記３１）  該地図表示ステップが、
該ユーザ端末が、取得した緯度または経度のうちの少なくとも一つに基づいて、該地図を画面に表示するように構成されたことを特徴とする、付記２９記載の情報提供サービス方法。
（付記３２）  該通知ステップが、
該サーバが、該送信ステップにて送信された該マッピング要求に含まれる該座標情報に基づいて、該ユーザ端末の該表示部が表示する該地図の尺度に応じた径を有する相似バブル径を出力する変化ステップと、
該ユーザ端末が、該変化ステップにて出力された該相似バブル径を該マッピング応答に挿入する挿入ステップとをそなえて構成されたことを特徴とする、付記２９記載の情報提供サービス方法。
【０２９５】
（付記３３）  該変化ステップが、
該サーバが、アクセス回数，アクセス可能時間またはアクセス可能季節のうちの少なくとも一つに基づいて、該相似バブル径を変化するように構成されたことを特徴とする、付記３２記載の情報提供サービス方法。
（付記３４）  該通知ステップが、
該サーバが、該ユーザ端末にて地図を表示するアプリケーションプログラムに関する情報を通知するように構成されたことを特徴とする、付記２９記載の情報提供サービス方法。
【０２９６】
（付記３５）  該検索ステップが、
該サーバが、アクセスによってカウンタ値が変化しうるカウンタを用いて検索するように構成されたことを特徴とする、付記２９記載の情報提供サービス方法。
（付記３６）  該検索ステップが、
該サーバが、該カウントの停止により所定のファイルが消滅するように構成されたことを特徴とする、付記３５記載の情報提供サービス方法。
【０２９７】
（付記３７）  該検索ステップが、
該サーバに同時にアクセスできるアクセス数に基づいて検索するように構成されたことを特徴とする、付記２９記載の情報提供サービス方法。
（付記３８）  該検索ステップが、
特定の通信相手に関する通信相手情報に基づいて検索するように構成されたことを特徴とする、付記２９記載の情報提供サービス方法。
【０２９８】
（付記３９）  該検索ステップが、
該サーバが、予め設定され該通信相手に関する情報に合致する通信相手バブルデータを読み出す読み出しステップと、
該サーバが、該ユーザ端末の現在位置情報を受信する現在位置情報受信ステップと、
該サーバが、該通信相手バブルデータと該現在位置情報とに基づいて、該ユーザ端末と該通信相手との接近を検出する接近検出ステップと、
該サーバが、該ユーザ端末に該接近を通知する接近通知ステップとをそなえて構成されたことを特徴とする、付記２９記載の情報提供サービス方法。
【０２９９】
（付記４０）  地図を表示しうるユーザ端末に対して情報を提供するシステムにおいて、
該ユーザ端末が、物体に関連する各種情報またはその各種情報に関連するサービス情報の属性を表す属性情報を有する情報ページのうち、該属性情報に関し複数の要素からなる特定情報ページをデータベースに記録する情報ページ記録ステップと、
該サーバが、該情報ページ記録ステップにて記録された該情報ページに基づいて、３次元空間における該物体の緯度，経度，高度およびバブル径からなる空間範囲情報と該サービス情報を得るためのアドレス情報とを対応づけられたバブルデータを登録するバブルデータ登録ステップと、
該サーバが、該バブルデータ登録ステップにて登録された該バブルデータに起因する情報を該ユーザ端末に対して提供する提供ステップとをそなえて構成されたことを特徴とする、情報提供サービス方法。
【０３００】
（付記４１）  該バブルデータ登録ステップが、
該サーバが、該情報ページ記録ステップにて記録された該情報ページの該文書型定義情報のうち所定の要素を有する複数の特定文書型定義情報を抽出する特定文書型定義情報抽出ステップと、
該サーバが、該複数の特定文書型定義情報を、該バブルデータとして登録する第１登録ステップとをそなえて構成されたことを特徴とする、付記４０記載の情報提供サービス方法。
【０３０１】
（付記４２）  該バブルデータ登録ステップが、
該サーバが、該情報ページ記録ステップにて記録された該情報ページを他のデータベースに、記録する記録ステップと、
該サーバが、該記録ステップにて記録した該情報ページについて、３次元空間における該物体の緯度，経度，高度およびバブル径からなる空間範囲情報と該サービス情報を得るためのアドレス情報とを対応づけられたバブルデータとして該データベースに登録する第２登録ステップとをそなえて構成されたことを特徴とする、付記４０記載の情報提供サービス方法。
【符号の説明】
【０３０２】
９，９ａ  情報提供システム
１０  無線ネットワーク
１０ａ  基地局
１０ｂ  情報掲示塔
１１  携帯端末
１１ａ，３１ｃ  傾斜センサ
１１ｂ  地磁気センサ
１１ｃ  ＧＰＳモジュール
１１ｄ，１１ｅ  アンテナ
１１ｆ  無線モジュール
１１ｇ  制御モジュール
１１ｈ，５８ａ  表示部
１１ｉ  スピーカ
１１ｊ  マイク
１１ｋ  距離測位センサ
１２  インターネット
１３ａ  ゲートウェイサーバ
１３ｂ  ｗｅｂサーバ
１３ｃ  ＤＮＳサーバ
１３ｄ  メールサーバ
１３ｅ  検索サーバ
１５，１５ａ  データベース
１６  第１受信部
１７  第１送信部
１８  サーバ
１８ａ  ゲートウェイ部
１８ｂ  ｗｅｂ情報出力部
１８ｃ  ＤＮＳ部
１８ｄ  メール送受信部
１９，１９ａ  サービスセンタ（サーバ）
２１，２１ａ  検出部
２２ａ  第２送信部
２２ｂ  第２受信部
２３  音声案内部
３１ａ，３１ｂ  使用手判別センサ
３２  ＰＤＡ
４０  抽出部
４１  提供部
５０  物体
５２  車両
５３  人
５４  絵画
５５  ＵＲＬ生成部
５６  メッセージ格納部
５７  アイコン群
５７ａ〜５７ｃ  アイコン
５８  パソコン
５８ａ  受信部
５８ｂ  ＲＡＭ
５８ｃ  地図情報出力部（地図情報保持部）
５８ｄ  送信部
５８ｅ  ハードディスク
５８ｆ  マッピング部
５８ｇ  表示部
５９  インターフェース部
６０  地図
６１ａ  検索部
６１ｃ  更新部
６２  ｗｅｂロボット
６３  ＤＴＤ情報のイメージ
６４  状態ファイルのイメージ
９９  カーナビゲーションシステム
７０  市街ブロック
１００Ｚ  検索範囲
【図１】
2011129143.tif 000003
【図２】
2011129143.tif 000004
【図３】
2011129143.tif 000005
【図４】
2011129143.tif 000006
【図５】
2011129143.tif 000007
【図６】
2011129143.tif 000008
【図７】
2011129143.tif 000009
【図８】
2011129143.tif 000010
【図９】
2011129143.tif 000011
【図１０】
2011129143.tif 000012
【図１１】
2011129143.tif 000013
【図１２】
2011129143.tif 000014
【図１３】
2011129143.tif 000015
【図１４】
2011129143.tif 000016
【図１５】
2011129143.tif 000017
【図１６】
2011129143.tif 000018
【図１７】
2011129143.tif 000019
【図１８】
2011129143.tif 000020
【図１９】
2011129143.tif 000021
【図２０】
2011129143.tif 000022
【図２１】
2011129143.tif 000023
【図２２】
2011129143.tif 000024
【図２３】
2011129143.tif 000025
【図２４】
2011129143.tif 000026
【図２５】
2011129143.tif 000027
【図２６】
2011129143.tif 000028
【図２７】
2011129143.tif 000029
【図２８】
2011129143.tif 000030
【図２９】
2011129143.tif 000031
【図３０】
2011129143.tif 000032
【図３１】
2011129143.tif 000033